(57)【要約】  第一種のデータを配置する第一種時間フレームと第二種のデータを配置する第二種時間フレームとを時間多重して送信する基地局装置において、配置される時間フレームの種別に応じた項目からなる第一種制御信号を生成する第一種制御信号生成部と、配置される時間フレーム内における第一種制御信号が配置される領域を表すとともに、第一種時間フレームを配置可能な時間フレームを指定する情報であって予め保持している第一種時間フレーム候補情報により、配置される時間フレームが第一種時間フレームを配置可能な時間フレームに指定されているときは、配置される時間フレームの種別を表す第二種制御信号を生成する第二種制御信号生成部とを具備することで、伝送効率を低下させることなく、サブフレームの種別を判定可能とし、下りリンク制御チャネルの復号処理の回数を減らす。
2009157487.tif 000002
【特許請求の範囲】
【請求項１】
第一種のデータを配置する第一種サブフレームと第二種のデータを配置する第二種サブフレームとを時間多重して送信する基地局装置と、前記基地局装置が送信したサブフレームから自装置宛ての信号を受信する複数の移動局装置とを具備する無線通信システムにおいて、
前記基地局装置は、
前記サブフレーム各々の種別を決定する無線リソース制御部と、
配置される前記サブフレームが第一種サブフレームであるか第二種サブフレームであるかの種別に応じた項目からなる第一種制御信号を生成する第一種制御信号生成部と、
前記サブフレーム各々の予め決められた領域に配置され、配置される前記サブフレーム内における前記第一種制御信号が配置される領域を表す第二種制御信号であって、前記第一種サブフレームを配置可能なサブフレームを指定する情報であって予め保持している第一種サブフレーム候補情報により、前記配置されるサブフレームが前記第一種サブフレームを配置可能なサブフレームに指定されているときは前記領域に加えて前記配置されるサブフレームの種別を表す第二種制御信号を生成する第二種制御信号生成部と、
各々に前記第一種制御信号と前記第二種制御信号とが配置された前記第一種サブフレームと前記第二種サブフレームとを、前記無線リソース制御部が決定したサブフレームの種別に従い多重する多重部と、
前記多重部で多重した結果の信号を送信する送信部と
を具備し、
前記移動局装置は、
前記基地局装置から送信された信号を受信する受信部と、
前記受信部が受信した信号のサブフレームの種別を、予め保持している前記第一種サブフレーム候補情報と、該サブフレームの前記第二種制御信号とに基づき判定するフレーム種別判定部と、
前記受信部が受信した信号のサブフレームに対して、前記フレーム種別判定部の判定結果が示す種別に対応する項目の前記第一種制御信号の検出処理を行なう第一種制御信号検出部と
を具備すること
を特徴とする無線通信システム。
【請求項２】
前記第一種のデータは、複数の前記移動局装置に宛てたブロードキャストまたはマルチキャストのデータであり、前記第二種のデータは、一つの前記移動局装置に宛てたユニキャストのデータであることを特徴とする請求項１に記載の無線通信システム。
【請求項３】
前記基地局装置は、前記第一種サブフレーム候補情報を予め送信し、
前記移動局装置の受信部は、送信された前記第一種サブフレーム候補情報を予め受信し、
前記移動局装置のフレーム種別判定部が判定に用いる前記第一種サブフレーム候補情報は、前記受信部が受信した前記第一種サブフレーム候補情報であることを特徴とする請求項１に記載の無線通信システム。
【請求項４】
前記第二種制御信号は、予め決められたその他の条件に応じて、同じ値の信号であっても、該信号が表す前記第一種制御信号が配置される領域または前記サブフレームの種別が異なることを特徴とする請求項１に記載の無線通信システム。
【請求項５】
前記その他の条件は、前記基地局装置が前記第一種制御信号の送信に用いる送信アンテナの本数であることを特徴とする請求項４に記載の無線通信システム。
【請求項６】
前記その他の条件は、前記第一種サブフレーム候補情報により、前記第二種制御信号が配置されるサブフレームが前記第一種サブフレームを配置可能なサブフレームに指定されているか否かであることを特徴とする請求項４に記載の無線通信システム。
【請求項７】
前記第一種制御信号検出部は、前記フレーム種別判定部の判定結果が示す種別に対応する項目の前記第一種制御信号の検出処理を行なう際に、前記項目に応じたデータサイズを用いることを特徴とする請求項１に記載の無線通信システム。
【請求項８】
前記判定結果が示す種別に対応する項目は、前記判定結果が示す種別が第一種サブフレームのときは、上りリンクの無線リソース割当情報および上りリンクの送信電力コマンド情報であることを特徴とする請求項２に記載の無線通信システム。
【請求項９】
前記判定結果が示す種別に対応する項目は、前記判定結果が示す種別が第二種サブフレームのときは、下りリンクの無線リソース割当情報を少なくとも含むことを特徴とする請求項２に記載の無線通信システム。
【請求項１０】
前記判定結果が示す種別に対応する項目は、前記判定結果が示す種別が第二種サブフレームのときは、さらに、上りリンクの無線リソース割当情報および上りリンクの送信電力コマンド情報を含むことを特徴とする請求項９記載の無線通信システム。
【請求項１１】
第一種のデータを配置する第一種サブフレームと第二種のデータを配置する第二種サブフレームとを時間多重して送信する基地局装置において、
前記サブフレーム各々の種別を決定する無線リソース制御部と、
配置される前記サブフレームの種別に応じた項目からなる第一種制御信号を生成する第一種制御信号生成部と、
前記サブフレーム各々の予め決められた領域に配置され、配置される前記サブフレーム内における前記第一種制御信号が配置される領域を表すとともに、前記第一種サブフレームを配置可能なサブフレームを指定する情報であって予め保持している第一種サブフレーム候補情報により、前記配置されるサブフレームが前記第一種サブフレームを配置可能なサブフレームに指定されているときは、前記配置されるサブフレームの種別を表す前記第二種制御信号を生成する第二種制御信号生成部と、
各々に前記第一種制御信号と前記第二種制御信号とが配置された前記第一種サブフレームと前記第二種サブフレームとを、前記無線リソース制御部が決定したサブフレームの種別に従い多重する多重部と、
前記多重部で多重した結果の信号を送信する送信部と
を具備することを特徴とする基地局装置。
【請求項１２】
第一種のデータを配置する第一種サブフレームと第二種のデータを配置する第二種サブフレームとを時間多重された信号を受信する移動局装置において、
前記時間多重された信号を受信する受信部と、
前記第一種サブフレームを配置可能なサブフレームを指定する情報であって予め保持している第一種サブフレーム候補情報と、前記サブフレームの予め決められた領域に配置され、配置されるサブフレームの種別に応じた項目からなる第一種制御信号が配置される前記サブフレーム内における領域を表す第二種制御信号であって、前記第一種サブフレーム候補情報により、前記サブフレームが前記第一種サブフレームを配置可能なサブフレームに指定されているときは、前記サブフレームの種別を表す第二種制御信号とに基づき、前記受信部が受信した信号のサブフレームの種別を判定するフレーム種別判定部と、
前記受信部が受信した信号のサブフレームに対して、前記フレーム種別判定部の判定結果が示す種別に対応する項目の前記第一種制御信号の検出処理を行なう第一種制御信号検出部と
を具備することを特徴とする移動局装置。
【請求項１３】
第一種のデータを配置する第一種サブフレームと第二種のデータを配置する第二種サブフレームとを時間多重して送信する基地局装置における無線送信方法において、
前記基地局装置が、前記サブフレーム各々の種別を決定する第１の過程と、
前記基地局装置が、配置される前記サブフレームの種別に応じた項目からなる第一種制御信号を生成する第２の過程と、
前記基地局装置が、前記サブフレーム各々の予め決められた領域に配置され、配置される前記サブフレーム内における前記第一種制御信号が配置される領域を表すとともに、前記第一種サブフレームを配置可能なサブフレームを指定する情報であって予め保持している第一種サブフレーム候補情報により、前記配置されるサブフレームが前記第一種サブフレームを配置可能なサブフレームに指定されているときは、前記配置されるサブフレームの種別を表す前記第二種制御信号を生成する第３の過程と、
前記基地局装置が、各々に前記第一種制御信号と前記第二種制御信号とが配置された前記第一種サブフレームと前記第二種サブフレームとを、前記第１の過程にて決定したサブフレームの種別に従い多重する第４の過程と、
前記基地局装置が、前記第４の過程にて多重した結果の信号を送信する第５の過程と
を備えることを特徴とする無線送信方法。
【請求項１４】
第一種のデータを配置する第一種サブフレームと第二種のデータを配置する第二種サブフレームとを時間多重された信号を受信する移動局装置における無線受信方法において、 前記移動局装置が、前記時間多重された信号を受信する第１の過程と、
前記移動局装置が、前記第一種サブフレームを配置可能なサブフレームを指定する情報であって予め保持している第一種サブフレーム候補情報と、前記サブフレームの予め決められた領域に配置され、配置されるサブフレームの種別に応じた項目からなる第一種制御信号が配置される前記サブフレーム内における領域を表す第二種制御信号であって、前記第一種サブフレーム候補情報により、前記サブフレームが前記第一種サブフレームを配置可能なサブフレームに指定されているときは、前記サブフレームの種別を表す第二種制御信号とに基づき、前第１の過程にて受信した信号のサブフレームの種別を判定する第２の過程と、
前記移動局装置が、前記第１の過程にて受信した信号のサブフレームに対して、前記第２の過程の判定結果が示す種別に対応する項目の前記第一種制御信号の検出処理を行なう第３の過程と
を備えることを特徴とする無線受信方法。
【発明の詳細な説明】
【技術分野】
【０００１】
本発明は、無線通信システム、基地局装置、移動局装置、無線送信方法および無線受信方法に関する。
本願は、２００８年６月２４日に、日本に出願された特願２００８−１６５１１１号に基づき優先権を主張し、その内容をここに援用する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ；第三世代パートナーシッププロジェクト）において標準化され、同方式によるセルラー移動通信サービスが開始されている。また、３ＧＰＰにおいて、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）および３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ；以下、「ＥＵＴＲＡＮ」という）が検討されている。【０００３】
ＥＵＴＲＡの基地局装置から移動局装置への送信である下りリンクとして、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ；直交周波数分割多重）方式が提案されている。また、ＥＵＴＲＡの移動局装置から基地局装置への送信である上りリンクとして、シングルキャリア送信であるＤＦＴ−Ｓｐｒｅａｄ  ＯＦＤＭ（Ｄｉｓｃｒｅｔｅ  Ｆｏｕｒｉｅｒ  Ｔｒａｎｓｆｏｒｍ−Ｓｐｒｅａｄ  ＯＦＤＭ；離散フーリエ変換−スプレッド直交周波数分割多重）方式のシングルキャリア通信方式が提案されている。【０００４】
図２４は、ＥＵＴＲＡにおけるチャネルの概略構造を示す図である。基地局装置ＢＳ１は、移動局装置ＵＥ１、ＵＥ２、ＵＥ３と無線通信を行う。ＥＵＴＲＡの基地局装置ＢＳ１から移動局装置ＵＥ１、ＵＥ２、ＵＥ３への無線通信である下りリンクは、下りリンクパイロットチャネル、下りリンク同期チャネル、報知チャネル、下りリンク制御チャネル、下りリンク共有データチャネル、制御フォーマットインディケータチャネル、下りリンクＨＡＲＱ（Hybrid Automatic Repeat reQuest；ハイブリッド自動再送）インディケータチャネル、マルチキャストチャネルより構成されている。また、ＥＵＴＲＡの移動局装置ＵＥ１、ＵＥ２、ＵＥ３から基地局装置ＢＳ１への無線通信である上りリンクは、上りリンクパイロットチャネルと、ランダムアクセスチャネルと、上りリンク制御チャネルと、上りリンク共有データチャネルとにより構成されている。【０００５】
<ユニキャストサブフレーム>
図２５は、ＥＵＴＲＡにおける下りリンク無線フレームの概略構成を示す図である（非特許文献１ 6.2節）。図２５では例として、下りリンク制御チャネルと下りリンク共有データチャネルを時間多重するときの無線フレームの概略構成を示している。図２５において、横軸は時間軸、縦軸は周波数軸である。下りリンク無線フレームは、集中（Ｌｏｃａｌｉｚｅｄ）送信の無線リソース割り当てなどの単位であり、予め決められた幅の周波数帯（ＰＲＢ帯域幅）および時間帯（２スロット＝１サブフレーム）からなる物理リソースブロックＰＲＢ（Ｐｈｙｓｉｃａｌ  Ｒｅｓｏｕｒｃｅ  Ｂｌｏｃｋ）ペアから構成されている。基本的に１物理リソースブロックＰＲＢペアは時間領域で連続する２個の物理リソースブロックＰＲＢ（ＰＲＢ帯域幅×スロット）から構成される。【０００６】
下りリンク制御チャネルと下りリンク共有データチャネルを時間多重したサブフレーム（以下、「ユニキャストサブフレーム」という）では、１個の物理リソースブロックＰＲＢは周波数領域において１２個のサブキャリアから構成され、時間領域において７個のＯＦＤＭシンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。
なお、１個のサブキャリアと１個のＯＦＤＭシンボルから構成されるユニットをリソースエレメントと呼ぶ。また、下りリンク無線フレームではシステム帯域幅に応じて複数の物理リソースブロックＰＲＢが配置される。下りリンク制御チャネルとマルチキャストチャネルを時間多重したＭＢＳＦＮサブフレーム（Multicast/Broadcast over Single Frequency Network Subframe；以下、「マルチキャストサブフレーム」という）の構成は後述する。【０００７】
各ユニキャストサブフレームには少なくとも、情報データとシステム情報の送信に用いる下りリンク共有データチャネル、制御データの送信に用いる下りリンク制御チャネルが配置される。
システム情報は、基地局装置と移動局装置が通信するのに必要な情報から構成されており、報知チャネルと下りリンク共有データチャネルとで不特定多数の移動局装置に向かって周期的に送信される。なお、報知チャネルと下りリンク共有データチャネルに配置されるシステム情報の項目は異なり、報知チャネルに配置されるシステム情報は、システム帯域幅、下りリンクＨＡＲＱインディケータチャネルの設定情報、送信アンテナの数などから構成される。下りリンク共有データチャネルに配置されるシステム情報は、上りリンクと下りリンクの送信電力制御情報、隣接した基地局装置のサブフレームの設定情報、該基地局装置（在圏基地局装置）のサブフレームの設定情報などから構成される。【０００８】
下りリンク共有データチャネルおよび下りリンク制御チャネルの伝播路推定に用いる下りリンクパイロットチャネルについては図２５においては図示せず、その配置の説明は後述する。図２５では、下りリンク制御チャネルはサブフレームの先頭から１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボル数はサブフレーム単位で変化する。【０００９】
なお、図２５において図示は省略しているが、下りリンク制御チャネルを構成するＯＦＤＭシンボル数を示す制御フォーマットインディケータチャネルは１番目のＯＦＤＭシンボルの予め決められた周波数位置に配置され、下りリンク制御チャネルは１番目のＯＦＤＭシンボルのみに配置されたり、１番目と２番目のＯＦＤＭシンボルに配置されたり、１番目から３番目までのＯＦＤＭシンボルに亘って配置されたりする。制御フォーマットインディケータチャネルの配置の説明は後述する。また、同様に、図２５において図示は省略しているが、下りリンクＨＡＲＱインディケータチャネルは下りリンク制御チャネルが配置されるＯＦＤＭシンボルに配置される、つまり下りリンク制御チャネルと周波数多重される。なお、同一のＯＦＤＭシンボルにおいて下りリンク制御チャネルと下りリンク共有データチャネルは一緒に配置されない。ユニキャストサブフレームの下りリンク制御チャネルには、複数の上りリンク無線リソース割当情報、下りリンク無線リソース割当情報、送信電力コマンド情報などが配置される。下りリンク制御チャネルに配置される情報の詳細は後述する。【００１０】
<ユニキャストサブフレームのパイロットチャネル>
図２６は、ＥＵＴＲＡの下りリンクのユニキャストサブフレームにおける１物理リソースブロックＰＲＢペア内の下りリンクパイロットチャネルの配置を説明する図である（非特許文献１ 6.10.1節）。図２６において、横軸は時間軸、縦軸は周波数軸である。ここでは、基地局装置が４本の送信アンテナ（送信アンテナ１、送信アンテナ２、送信アンテナ３、送信アンテナ４）を有する場合について説明する。図２６において、符号Ｒ１が付されたリソースエレメントは送信アンテナ１から送信する下りリンクパイロットチャネルのリソースエレメントを表す。符号Ｒ２が付されたリソースエレメントは送信アンテナ２から送信する下りリンクパイロットチャネルのリソースエレメントを表す。符号Ｒ３が付されたリソースエレメントは送信アンテナ３から送信する下りリンクパイロットチャネルのリソースエレメントを表す。符号Ｒ４が付されたリソースエレメントは送信アンテナ４から送信する下りリンクパイロットチャネルのリソースエレメントを表す。【００１１】
なお、基地局装置が２本の送信アンテナのみを有する場合は、２番目のＯＦＤＭシンボルにおけるリソースエレメントＲ３とＲ４では下りリンク制御チャネルが送信され、９番目のＯＦＤＭシンボルにおけるリソースエレメントＲ３とＲ４では下りリンク共有データチャネルが送信される。
なお、本発明とは関連性がないため、報知チャネル、下りリンク同期チャネルに関する説明の詳細は省略するが、報知チャネル、下りリンク同期チャネルは、予め決められたサブフレームの予め決められたリソースエレメントに配置される。【００１２】
<マルチキャストサブフレーム構成>
図２７は、ＥＵＴＲＡの下りリンクにおけるマルチキャストサブフレームの概略構成を示す図である（非特許文献１6.5節、6.10.2節）。図２７において、横軸は時間軸、縦軸は周波数軸である。マルチキャストサブフレームにおいて１個の物理リソースブロックＰＲＢは周波数領域において１２個のサブキャリアから構成され、時間領域において６個のＯＦＤＭシンボルから構成される。時間領域においては、６個のＯＦＤＭシンボルからスロットが構成され、２個のスロットからサブフレームが構成される。【００１３】
各マルチキャストサブフレームには少なくとも、マルチキャストのデータ（ＭＢＭＳ （Ｍｕｌｔｉｍｅｄｉａ  Ｂｒｏａｄｃａｓｔ／ＭｕｌｔｉｃａｓｔＳｅｒｖｉｃｅ）ｄａｔａ；以下、「マルチキャストデータ」という）の送信に用いるマルチキャストチャネル、制御データの送信に用いる下りリンク制御チャネルが配置される。マルチキャストチャネルおよび下りリンク制御チャネルのチャネル推定に用いる下りリンクパイロットチャネルについては図２７においては図示せず、その配置の説明は後述する。図２７では、下りリンク制御チャネルはサブフレームの先頭から１番目と２番目のＯＦＤＭシンボルに配置され、マルチキャストチャネルはその他のＯＦＤＭシンボルに配置された場合を示しているが、下りリンク制御チャネルが配置されるＯＦＤＭシンボル数はサブフレーム単位で変化する。【００１４】
マルチキャストサブフレームにおいて、マルチキャストサブフレームを構成するＯＦＤＭシンボル数はユニキャストサブフレームを構成するＯＦＤＭシンボル数よりも少ないが、マルチキャストチャネルの配置されるＯＦＤＭシンボル長はユニキャストサブフレームのＯＦＤＭ長に比べて長くなっており、マルチキャストサブフレームとユニキャストサブフレームのスロットの時間長は同じになる。しかし、マルチキャストサブフレームの下りリンク制御チャネル（斜線ハッチング部）が配置されるＯＦＤＭシンボルの長さは、ユニキャストサブフレームの下りリンク制御チャネルのＯＦＤＭシンボル長と同じである。従って、マルチキャストサブフレームとユニキャストサブフレームの時間長を同じにするために、マルチキャストサブフレームでは下りリンク制御チャネルのＯＦＤＭシンボルとマルチキャストチャネルのＯＦＤＭシンボルの間に予備のサンプル（網掛けハッチング部）を配置する。例えば予備のサンプルとして「０」を配置してもよい。【００１５】
なお、図２７において図示は省略しているが、下りリンク制御チャネルを構成するＯＦＤＭシンボル数を示す制御フォーマットインディケータチャネルは１ＯＦＤＭシンボル目の予め決められた周波数位置に配置され、下りリンク制御チャネルは１番目のＯＦＤＭシンボルのみに配置されたり、１番目と２番目のＯＦＤＭシンボルに配置されたりする。ユニキャストサブフレームと違いマルチキャストサブフレームにおいては、３番目のＯＦＤＭシンボルには下りリンク制御チャネルが配置されない。制御フォーマットインディケータチャネルの配置の説明は後述する。【００１６】
また、同様に、図２７において図示は省略しているが、下りリンクＨＡＲＱインディケータチャネルは下りリンク制御チャネルが配置されるＯＦＤＭシンボルに配置される、つまり下りリンク制御チャネルと周波数多重される。なお、同一のＯＦＤＭシンボルにおいて下りリンク制御チャネルとマルチキャストチャネルは一緒に配置されない。マルチキャストサブフレームの下りリンク制御チャネルは、上りリンク無線リソース割当情報、送信電力コマンド情報などが配置され、下りリンク無線リソース割当情報は配置されない。下りリンク制御チャネルに配置される情報の詳細は後述する。【００１７】
<マルチキャストサブフレームのパイロットチャネル>
図２８は、ＥＵＴＲＡの下りリンクのマルチキャストサブフレームにおける１物理リソースブロックＰＲＢペア内の下りリンクパイロットチャネルの配置を説明する図である（非特許文献１ 6.10.2節）。図２８において、横軸は時間軸、縦軸は周波数軸である。ここでは、基地局装置が５本の送信アンテナ（送信アンテナ１、送信アンテナ２、送信アンテナ３、送信アンテナ４、送信アンテナ５）を有する場合について説明する。図２８において、符号Ｒ１が付されたリソースエレメントは送信アンテナ１から送信する下りリンクパイロットチャネルのリソースエレメントを表す。符号Ｒ２が付されたリソースエレメントは送信アンテナ２から送信する下りリンクパイロットチャネルのリソースエレメントを表す。符号Ｒ３が付されたリソースエレメントは送信アンテナ３から送信する下りリンクパイロットチャネルのリソースエレメントを表す。符号Ｒ４が付されたリソースエレメントは送信アンテナ４から送信する下りリンクパイロットチャネルのリソースエレメントを表す。符号Ｒ５が付されたリソースエレメントは送信アンテナ５から送信する下りリンクパイロットチャネルのリソースエレメントを表す。【００１８】
リソースエレメントＲ１とＲ２とＲ３とＲ４は下りリンク制御チャネルを構成するＯＦＤＭシンボルに配置され、その配置はユニキャストサブフレームと同じであり、下りリンク制御チャネルの伝播路補償に使われる。リソースエレメントＲ５はマルチキャストチャネルを構成するＯＦＤＭシンボルに配置され、マルチキャストチャネルの伝播路補償に使われる。
図２８においては、下りリンク制御チャネルは送信アンテナ１から４を使って送信しているため、下りリンク制御チャネルの伝播路を補償するにはリソースエレメントＲ１とＲ２とＲ３とＲ４が必要なので、下りリンク制御チャネルは必ず１番目と２番目の両方に配置される。【００１９】
<制御フォーマットインディケータチャネル>
図２９は、下りリンク制御チャネルのサイズを表す制御フォーマットインディケータチャネル（PCFICH；Physical Control Format Indicator Channel）の配置を説明する図である（非特許文献１ 6.7節）。なお、ＥＵＴＲＡの下りリンクのユニキャストサブフレームとマルチキャストサブフレームにおける制御フォーマットインディケータチャネルの配置は同じである。図２９は、ユニキャストサブフレームとマルチキャストサブフレームの１番目のＯＦＤＭシンボルを表しており、横軸は時間軸、縦軸は周波数軸である。図２９において、斜線のリソースエレメントは下りリンク制御チャネルを表し、ＰＣＦＩＣＨと付されたリソースエレメントは制御フォーマットインディケータチャネルを表す。図２９においては説明の簡略化のため下りリンク共有データチャネルおよび下りリンク制御チャネルのチャネル推定に用いる下りリンクパイロットチャネルについては図示していないが、実際には下りリンクパイロットチャネルを配置するリソースエレメントを避けて制御フォーマットインディケータチャネルが配置される。【００２０】
制御フォーマットインディケータチャネルは周波数方向に連続した４つのリソースエレメントをグループとして、４つのリソースエレメントグループが周波数領域に等間隔に配置される。つまり、全部で１６のリソースエレメントに制御フォーマットインディケータチャネルが配置される。制御フォーマットインディケータをＱＰＳＫ復調することで３２ビットのビット列が得られ、このビット列を復号処理することで制御フォーマットインディケータの示す下りリンク制御チャネルのＯＦＤＭシンボル数を得る。つまり、ＱＰＳＫ復調したビット列と移動局装置が持つビット列のレプリカとを比較し、制御フォーマットインディケータチャネルから得られたビット列にもっとも近いレプリカを選択し、該レプリカに対応する下りリンク制御チャネルのＯＦＤＭシンボル数の値が制御フォーマットインディケータチャネルによって示されたことを移動局装置は認識する。【００２１】
このビット列のレプリカと下りリンク制御チャネルのＯＦＤＭシンボル数の値との対応を図３０に示す。図３０に示すように、制御フォーマットインディケータチャネルのビット列のレプリカ<0,1,1,0,1,1,0,1,1,0,1,1,0,1,1,0,1,1,0,1,1,0,1,1,0,1,1,0,1,1,0,1>に対応する下りリンク制御チャネルのＯＦＤＭシンボル数は「１」であり、レプリカ<1,0,1,1,0,1,1,0,1,1,0,1,1,0,1,1,0,1,1,0,1,1,0,1,1,0,1,1,0,1,1,0>に対応するＯＦＤＭシンボル数は「２」であり、レプリカ<1,1,0,1,1,0,1,1,0,1,1,0,1,1,0,1,1,0,1,1,0,1,1,0,1,1,0,1,1,0,1,1>に対応するＯＦＤＭシンボル数は「３」であり、レプリカ<0,0,0,0,0,0,0,0,0,0,0,0,0,0,0,0,0,0,0,0,0,0,0,0,0,0,0,0,0,0,0,0>に対応するＯＦＤＭシンボル数は「４」（予約）である。なお、最後に挙げたＯＦＤＭシンボル数「４」については、使用されておらず、予約されている。
制御フォーマットインディケータチャネルを配置するリソースエレメントは、システム帯域幅に含まれるリソースエレメントの数とセルＩＤから決定する。【００２２】
<マルチキャストサービス>
ＥＵＴＲＡにおいて、基地局装置が不特定多数の移動局装置に向かってデータを送信するマルチメディアブロードキャスト／マルチキャストサービス（Ｍｕｌｔｉｍｅｄｉａ  Ｂｒｏａｄｃａｓｔ／ＭｕｌｔｉｃａｓｔＳｅｒｖｉｃｅ：ＭＢＭＳ、広義のマルチキャストサービス、以下、特に断らない限り、ブロードキャストおよび狭義のマルチキャストを含む、この広義のマルチキャストを「マルチキャスト」という）が提案されている（非特許文献２ 15節）。
また、マルチキャストサービスにおいて、１つの基地局装置が不特定多数の移動局装置に向かってデータを送信するシングルセル送信と、複数の同期した基地局装置から不特定多数の移動局装置に向かって同時に同じデータを送信するマルチセル送信が提案されている。マルチセル送信は以下の特徴を有する。【００２３】
（１）複数の基地局装置で同期をとり、同時に同一の周波数でマルチキャスト（またはブロードキャスト）をするＭＢＳＦＮエリア（以下、「マルチキャストエリア」という）を構成する。
（２）マルチキャストエリア内の複数の基地局装置が、不特定多数の移動局装置に向かって同時に同じマルチキャストデータを送信する。
（３）移動局装置は、複数の基地局装置から同時に送信されたマルチキャストデータを合成することができる。
（４）マルチキャストデータはマルチキャストサブフレームのマルチキャストチャネルで送信する。
（５）各基地局装置において、マルチキャストチャネルは１本のアンテナから送信される。
なお、本発明とは関連性が少ないためシングルセル送信の説明は省略する。【００２４】
<マルチキャスト専用セルとマルチキャスト／ユニキャスト ミックスセル> 
マルチセル送信を行う基地局装置において、マルチキャスト専用の周波数帯でマルチキャストサブフレームのみの送信をする基地局装置のセル（MBMS dedicated cell）と、マルチキャストサブフレームとユニキャストサブフレームとを時間多重して送信する基地局装置のセル（MBMS/unicast mixed cell；以下、「マルチキャスト／ユニキャスト ミックスセル」という）がある（非特許文献２  １５．２節）。
図３１は、マルチセル送信をするマルチキャスト／ユニキャスト ミックスセルの無線フレームの概略構成を示す図である。図３１において、横軸は時間軸、縦軸は周波数軸である。図３１の例では、無線フレームの１番目、４〜６番目、８番目のサブフレームはユニキャストサブフレームであり、残りはマルチキャストサブフレームである。マルチセル送信をするマルチキャスト／ユニキャスト ミックスセルの無線フレームは以下の特徴を有する。【００２５】
（１）マルチキャストサブフレームとユニキャストサブフレームは時間多重される。
（２）マルチキャストデータはマルチキャストサブフレームのマルチキャストチャネルで送信される。
（３）情報データとシステム情報はユニキャストサブフレームで送信され、情報データは下りリンク共有データチャネルで、システム情報は下りリンク共有データチャネルと報知チャネルで送信される。
（４）無線フレームの１番目と６番目のサブフレームは常にユニキャストサブフレームであり、少なくとも同期チャネルが送信される。
なお、本発明とは関連性が少ないためマルチキャスト専用の周波数帯でマルチキャストサブフレームのみを送信をする基地局装置に関する説明は省略する。【００２６】
<マルチキャストサブフレーム配置パターン>
マルチセル送信を行う基地局装置において、マルチキャストサブフレームのために予約するサブフレームの配置の情報、すなわちマルチキャストサブフレームを配置可能なサブフレームを指定する情報（ＭＢＳＦＮ  ｓｕｂｆｒａｍｅ  ａｌｌｏｃａｔｉｏｎ  ｐａｔｔｅｒｎ（ＭＳＡＰ）；以下、「マルチキャストサブフレーム配置パターン」という（第三世代パートナーシッププロジェクトでは、ＭＢＳＦＮ  ｓｕｂｆｒａｍｅ  ｃｏｎｆｉｇｕｒａｔｉｏｎ（ＭＢＳＣ）やＭＢＳＦＮ  ｓｕｂｆｒａｍｅ  ａｌｌｏｃａｔｉｏｎ  ｓｉｇｎａｌｌｉｎｇなどと呼ばれることもある））が下りリンク共有データチャネルのシステム情報で送信される（非特許文献３）。【００２７】
図３２は、マルチセル送信のマルチキャスト／ユニキャスト ミックスセルのマルチキャストサブフレーム配置パターンを説明する図である。図３２において、横軸は時間軸、縦軸は周波数軸である。マルチキャストサブフレーム配置パターンはある周期におけるマルチキャストサブフレームのために予約するサブフレームの配置を示し、次の周期において、マルチキャストサブフレーム配置パターンが変更されなければ次のマルチキャストサブフレーム配置パターンの周期でも同じサブフレームがマルチキャストサブフレームとして予約される。ＥＵＴＲＡにおいて、マルチキャストサブフレーム配置パターンの周期は未定であるが、４０ｍｓから３２０ｍｓ（１サブフレーム＝１ｍｓであり、４０サブフレームから３２０サブフレーム）の間から１つに決定して仕様化することが決まっている（非特許文献４）。
例えば、マルチキャストサブフレーム配置パターンの周期が８０ｍｓ（８０サブフレーム）のときに、マルチキャストサブフレーム配置パターンをビットマップで表すには６４ビットが必要になる（無線フレーム（＝１０サブフレーム）の第１番目と第６番目のサブフレームはユニキャストサブフレームで固定のため８０ビットよりも１６ビット少ないビットで良い）。【００２８】
<マルチキャストサブフレームを配置可能なサブフレーム（MBSFN subframe）のユニキャストサブフレームとしての再利用>
マルチセル送信をするマルチキャスト／ユニキャスト ミックスセルにおいて、基地局装置がマルチキャストチャネルで送信するマルチキャストデータの一部を失った場合など、適用しているマルチキャストサブフレーム配置パターンにて伝送可能なマルチキャスト可能なデータ量よりマルチキャストデータが少ないときは、マルチキャストサブフレーム配置パターンにて指定されたマルチキャストサブフレームを配置可能なサブフレームのうち、その少ない分が影響を与えるサブフレームではマルチキャストデータを送信せずに、ユニキャストサブフレームとする。
また、マルチキャストサブフレーム配置パターンでマルチキャストサブフレームを配置可能だと示されたサブフレームでマルチキャストのデータを送信していないことを移動局装置が検知する、または移動局装置に知らせる方法をサポートすることが検討されている（非特許文献２  １５．３．３節）。【００２９】
<制御データフォーマット（DCI(Down link Control Information) format> 
下りリンク制御チャネルには複数の制御データが配置される。また、下りリンク制御チャネルに配置される制御データの種類には少なくとも以下の３つがある。
（１）１つの移動局装置に対する下りリンク共有データチャネルの無線リソース割当の制御データ（以下、「下りリンク無線リソース割当情報」という）。
（２）１つの移動局装置に対する上りリンク共有データチャネルの無線リソース割当の制御データ（以下、「上りリンク無線リソース割当情報」という）。
（３）１つの移動局装置に対する上りリンク共有データチャネルと上りリンク制御チャネルの送信電力の制御命令（以下、「送信電力コマンド」という）の集合からなる制御データ（以下、「送信電力コマンド情報」という）。
（非特許文献５  ５．３．３）。【００３０】
<下りリンク無線リソース割当情報（DL(Down Link) assignment）> 
下りリンク無線リソース割当情報は、下りリンク共有データチャネルの無線リソース割当ての情報、移動局識別子、変調方式、符号化率、再送パラメータが少なくとも１つずつ含まれる。さらに目的に応じて以下の３つに分類される。【００３１】
（１）下りリンク共有データチャネルの無線リソース割当ての情報のサイズが一番小さく、シングルインプットマルチプルアウトプット（Ｓｉｎｇｌｅ  Ｉｎｐｕｔ  Ｍｕｌｔｉｐｌｅ  Ｏｕｔｐｕｔ；以下、「ＳＩＭＯ」という）のための下りリンク無線リソース割当情報（以下、「下りリンク無線リソース割当情報１」という）。
（２）下りリンク共有データチャネルの無線リソース割当情報のサイズが下りリンク無線リソース割当情報１と比べて大きく、ＳＩＭＯのための下りリンク無線リソース割当情報（以下、「下りリンク無線リソース割当情報２」という）。
（３）下りリンク共有データチャネルの無線リソース割当情報のサイズが下りリンク無線リソース割当情報２と同じであり、変調方式、符号化率、再送パラメータが２つずつ含まれるマルチプルインプットマルチプルアウトプット（Ｍｕｌｔｉｐｌｅ  Ｉｎｐｕｔ  Ｍｕｌｔｉｐｌｅ  Ｏｕｔｐｕｔ；以下、「ＭＩＭＯ」という）のための下りリンク無線リソース割当情報（以下、「下りリンク無線リソース割当情報３」という）。
これら３つの下りリンク無線リソース割当情報を構成するビット数（サイズ）はそれぞれ異なる。また、マルチキャストサブフレームには下りリンク共有データチャネルは配置されないので、マルチキャストサブフレームの下りリンク制御チャネルには下りリンク無線リソース割当情報は配置されない。【００３２】
<上りリンク無線リソース割当情報（UL(Up Link)assignment）> 
上りリンク無線リソース割当情報には、移動局識別子、上りリンク無線リソース割当情報、変調方式、符号化率、再送パラメータなどが含まれる。上りリンクと下りリンクのシステム帯域幅が同じ場合には、上りリンク無線リソース割当情報と下りリンク無線リソース割当情報１を構成するビット数（サイズ）は同じである。【００３３】
<送信電力制御（TPC；Transmit Power Control）> 
送信電力コマンド情報には、複数の移動局装置に対する送信電力コマンドと移動局群識別子が含まれる。送信電力コマンド情報と上りリンク無線リソース割当情報を構成するビット数（サイズ）は同じである。送信電力コマンド情報の送信電力コマンドは上りリンク制御チャネルと上りリンク共有データチャネルに対する送信電力コマンドであり、上りリンク制御チャネルに対する送信電力コマンドと、上りリンク共有データチャネルに対する送信電力コマンドは同じ送信電力コマンド情報では同時に送信されない。【００３４】
<符号化（Coding）>
図３３は、下りリンク制御チャネルに配置される制御データを符号化する手順の一例を説明するフローチャートである（非特許文献５  ５．３．３節）。最初に、制御部から入力された制御データと誤り検出符号を多重する。誤り検出符号は予め決められた生成多項式を用いて制御データより生成される。次に、誤り検出符号を多重した制御データを畳み込み符号化する。
次に、畳み込み符号化した制御データをレートマッチングしてからＱＰＳＫ（Quadrature Phase Shift Keying；４値位相偏移変調）変調部へ出力する。レートマッチングの詳細は後述する。【００３５】
次に、レートマッチング後の制御データをＱＰＳＫ変調し下りリンク制御チャネルのリソースエレメントにマッピングをする。ＱＰＳＫ変調後の制御データのサイズによって制御データがマッピングされる下りリンク制御チャネルのリソースエレメントの組み合わせは限定される。なお、基地局装置が送信ダイバーシチを用いて下りリンク制御チャネルを送信する場合は、QPSK変調後、送信ダイバーシチ処理を行って下りリンク制御チャネルのリソースエレメントにマッピングする。【００３６】
<レートマッチング（Rate matching）>
レートマッチングとは、畳み込み符号化した制御データのサイズと制御データをマッピングする下りリンク制御チャネルの物理リソースのサイズとを合わせるために、畳み込み符号化した制御データの繰り返し（ｒｅｐｅｔｉｔｉｏｎ）処理や間引き（ｐｕｎｃｔｕｒｅ）処理をして符号化率を変更することである。
ＥＵＴＲＡでは、レートマッチング後の制御データのサイズとして４つのサイズが検討されている。例えば、ＱＰＳＫ変調後に３６リソースエレメントと７２リソースエレメントと１４４リソースエレメントと２８８リソースエレメントのサイズになるようにレートマッチングをする。【００３７】
なお、異なる制御データのサイズを異なるサイズの物理リソースに対して合わせるための繰り返し処理または間引き処理をするべきパターンは異なる。つまり、下りリンク無線リソース割当情報２と上りリンク無線リソース割当情報などのサイズの違う制御データは異なるレートマッチングのパターンを用いる。
また、レートマッチング前の制御データのサイズが同じ制御データでもレートマッチング後の制御データのサイズを異なるようにして符号化率を変更する場合、異なるレートマッチングのパターンを用いる。【００３８】
<総当り復号（Blind decoding）>
図３４は下りリンク制御チャネルに配置される制御データを復号化する手順例を説明するフローチャートである。移動局装置はサブフレーム毎に、当該移動局装置宛の制御データが下りリンク制御チャネルに配置されているかを監視する。しかし、移動局装置は、当該移動局装置宛の制御データがいくつあるか、何個のリソースエレメントのサイズにレートマッチングされたか、どのリソースエレメントにマッピングされたかを知らない。【００３９】
そのため、移動局装置はまず、制御フォーマットインディケータチャネルに基づき下りリンク制御チャネルのＯＦＤＭシンボル数を取得し、下りリンク制御チャネルを構成するリソースエレメント全てをＱＰＳＫ復調し（Ｓ１）、制御データがマッピングされた可能性のあるリソースエレメントの数、および配置の組合せを１つ選択し、リソースエレメントを抽出する（Ｓ２）。次に、可能性のあるレートマッチング前の制御データのサイズを１つ選択し、選択した制御データのサイズと抽出したリソースエレメントの数によって決まるレートマッチングの逆の処理（以下、「レートデマッチング」という）をする（Ｓ３）。【００４０】
次に、レートデマッチング後の制御データを畳み込み復号し（Ｓ４）、誤り検出符号を用いて誤り検出をする（Ｓ５）。ここでは、誤り検出の演算結果が、その制御データの宛先の移動局装置の識別番号となる誤り検出符号を用いている。
畳み込み復号後に誤りを検出しなかったとき、すなわち誤り検出の演算結果が、当該移動局装置の識別番号となったときは（Ｓ６−Ｎｏ）、移動局装置は、その制御データが当該移動局装置宛の制御データであると認識し、さらに該制御データの構成を見ることで該制御データが上りリンク無線リソース割当情報、下りリンク無線リソース割当情報または送信電力コマンド情報かを認識する（Ｓ７）。上りリンク無線リソース割当情報と下りリンク無線リソース割当情報と送信電力コマンド情報の全ての制御データを復号した場合（Ｓ８−Ｎｏ）、復号処理を終了する。【００４１】
上りリンク無線リソース割当情報と下りリンク無線リソース割当情報と送信電力コマンド情報のうち、まだ復号していない制御データがある場合（Ｓ８−Ｙｅｓ）、まだ試していない制御データがマッピングされたリソースエレメントの数、および配置の組合せとレートマッチング前の制御データのサイズを設定して（Ｓ９）、下りリンク制御チャネルからリソースエレメントを抽出するステップＳ２からの処理を繰り返す。【００４２】
ステップＳ５の誤り検出処理において、誤りを検出した場合（Ｓ６−Ｙｅｓ）、まだ試していない制御データがマッピングされたリソースエレメントの数、および配置の組合せとレートマッチング前の制御データのサイズがある場合は（Ｓ１０−Ｙｅｓ）、それらを設定して（Ｓ９）、下りリンク制御チャネルからリソースエレメントを抽出するステップＳ２からの処理を繰り返す。
また、全ての制御データがマッピングされたリソースエレメントの数、および配置の組合せとレートマッチング前の制御データのサイズについて制御データの復号処理をしていた場合にも（Ｓ１０−Ｎｏ）復号処理を終了する。
なお、基地局装置が送信ダイバーシチを用いて下りリンク制御チャネルを送信する場合は、送信ダイバーシチ合成処理を行った後、ステップＳ１のＱＰＳＫ復調を行う。
【先行技術文献】
【非特許文献】
【００４３】
【非特許文献１】３ＧＰＰ  ＴＳ３６．２１１‐ｖ８．１．０（２００７‐１１），Ｐｈｙｓｉｃａｌ  Ｃｈａｎｎｅｌｓ  ａｎｄ  Ｍｏｄｕｌａｔｉｏｎ（Ｒｅｌｅａｓｅ  ８）
【非特許文献２】３ＧＰＰ  ＴＳ３６．３００‐ｖ８．３．０（２００７‐１２），Ｏｖｅｒａｌｌ ｄｅｓｃｒｉｐｔｉｏｎ;Ｓｔａｇｅ ２（Ｒｅｌｅａｓｅ  ８）
【非特許文献３】３ＧＰＰ  ＴＳＧ  ＲＡＮ１  ＃５１ｂ，Ｓｅｖｉｌｌａ，Ｓｐａｉｎ，１４−１８  Ｊａｎｕａｒｙ，２００８，Ｒ１−０８０６２１“Ｐｈｙｓｉｃａｌ−ｌａｙｅｒ ｐａｒａｍｅｔｅｒｓ ｔｏ ｂｅ ｃｏｎｆｉｇｕｒｅｄ ｂｙ ＲＲＣ”
【非特許文献４】３ＧＰＰ  ＴＳＧ  ＲＡＮ２  ＃６１，Ｓｏｒｒｅｎｔｏ，Ｉｔａｌｙ，１１−１５  Ｆｅｂｒｕａｒｙ，２００８，Ｒ２−０８０７０８“ＬＳ ｒｅｓｐｏｎｓｅ ｏｎ Ｓｉｇｎａｌｉｎｇ ｏｆ ＭＢＳＦＮ Ｓｕｂｆｒａｍｅ Ａｌｌｏｃａｔｉｏｎ”
【非特許文献５】３ＧＰＰ  ＴＳ３６．２１２‐ｖ８．１．０（２００７‐１１），Ｍｕｌｔｉｐｌｅｘｉｎｇ ａｎｄ ｃｈａｎｎｅｌ ｃｏｄｉｎｇ(Ｒｅｌｅａｓｅ ８)
【発明の概要】
【発明が解決しようとする課題】
【００４４】
しかしながら、上述のＥＵＴＲＡにおいては、マルチセル送信をするマルチキャスト／ユニキャスト ミックスセルでは、移動局装置はマルチキャストサブフレーム配置パターンでマルチキャストサブフレームを配置可能と示されたサブフレームの全てに対しても、マルチキャストサブフレームの下りリンク制御チャネルには配置されない項目、例えば、下りリンク無線リソース割当情報についても、検出する処理を行なわなければならない。これは、移動局装置の処理負荷の増大をもたらす。
そこで、基地局装置がマルチキャストサブフレーム配置パターンの送信周期よりも短い間隔で、マルチキャストサブフレームをユニキャストサブフレームとして利用することを移動局装置に通知する新たな制御データを用いる方法が考えられるが、この方法では、制御データのオーバヘッドが増大し、伝送効率の低下をまねいてしまう。【００４５】
本発明は、このような事情に鑑みてなされたもので、その目的は、伝送効率を低下させることなく、サブフレームの種別を判定可能とし、下りリンク制御チャネルの復号処理の回数を減らすことができる無線通信システム、基地局装置、移動局装置、無線受信方法、無線送信方法を提供することにある。
【課題を解決するための手段】
【００４６】
（１）この発明は上述した課題を解決するためになされたもので、本発明の無線通信システムは、第一種のデータを配置する第一種サブフレームと第二種のデータを配置する第二種サブフレームとを時間多重して送信する基地局装置と、前記基地局装置が送信したサブフレームから自装置宛ての信号を受信する複数の移動局装置とを具備する無線通信システムにおいて、前記基地局装置は、前記サブフレーム各々の種別を決定する無線リソース制御部と、配置される前記サブフレームが第一種サブフレームであるか第二種サブフレームであるかの種別に応じた項目からなる第一種制御信号を生成する第一種制御信号生成部と、前記サブフレーム各々の予め決められた領域に配置され、配置される前記サブフレーム内における前記第一種制御信号が配置される領域を表す第二種制御信号であって、前記第一種サブフレームを配置可能なサブフレームを指定する情報であって予め保持している第一種サブフレーム候補情報により、前記配置されるサブフレームが前記第一種サブフレームを配置可能なサブフレームに指定されているときは前記領域に加えて前記配置されるサブフレームの種別を表す第二種制御信号を生成する第二種制御信号生成部と、各々に前記第一種制御信号と前記第二種制御信号とが配置された前記第一種サブフレームと前記第二種サブフレームとを、前記無線リソース制御部が決定したサブフレームの種別に従い多重する多重部と、前記多重部で多重した結果の信号を送信する送信部とを具備し、前記移動局装置は、前記基地局装置から送信された信号を受信する受信部と、前記受信部が受信した信号のサブフレームの種別を、予め保持している前記第一種サブフレーム候補情報と、該サブフレームの前記第二種制御信号とに基づき判定するフレーム種別判定部と、前記受信部が受信した信号のサブフレームに対して、前記フレーム種別判定部の判定結果が示す種別に対応する項目の前記第一種制御信号の検出処理を行なう第一種制御信号検出部とを具備することを特徴とする。【００４７】
（２）また、本発明の無線通信システムは、上述の無線通信システムであって、前記第一種のデータは、複数の前記移動局装置に宛てたブロードキャストまたはマルチキャストのデータであり、前記第二種のデータは、一つの前記移動局装置に宛てたユニキャストのデータであることを特徴とする。【００４８】
（３）また、本発明の無線通信システムは、上述の無線通信システムであって、前記基地局装置は、前記第一種サブフレーム候補情報を予め送信し、前記移動局装置の受信部は、送信された前記第一種サブフレーム候補情報を予め受信し、前記移動局装置のフレーム種別判定部が判定に用いる前記第一種サブフレーム候補情報は、前記受信部が受信した前記第一種サブフレーム候補情報であることを特徴とする。【００４９】
（４）また、本発明の無線通信システムは、上述の無線通信システムであって、前記第二種制御信号は、予め決められたその他の条件に応じて、同じ値の信号であっても、該信号が表す前記第一種制御信号が配置される領域または前記サブフレームの種別が異なることを特徴とする。【００５０】
（５）また、本発明の無線通信システムは、上述の無線通信システムであって、前記その他の条件は、前記基地局装置が前記第一種制御信号の送信に用いる送信アンテナの本数であることを特徴とする。【００５１】
（６）また、本発明の無線通信システムは、上述の無線通信システムであって、前記その他の条件は、前記第一種サブフレーム候補情報により、前記第二種制御信号が配置されるサブフレームが前記第一種サブフレームを配置可能なサブフレームに指定されているか否かであることを特徴とする。【００５２】
（７）また、本発明の無線通信システムは、上述の無線通信システムであって、前記第一種制御信号検出部は、前記フレーム種別判定部の判定結果が示す種別に対応する項目の前記第一種制御信号の検出処理を行なう際に、前記項目に応じたデータサイズを用いることを特徴とする。【００５３】
（８）また、本発明の無線通信システムは、上述の無線通信システムであって、前記判定結果が示す種別に対応する項目は、前記判定結果が示す種別が第一種サブフレームのときは、上りリンクの無線リソース割当情報および上りリンクの送信電力コマンド情報であることを特徴とする。【００５４】
（９）また、本発明の無線通信システムは、上述の無線通信システムであって、前記判定結果が示す種別に対応する項目は、前記判定結果が示す種別が第二種サブフレームのときは、下りリンクの無線リソース割当情報を少なくとも含むことを特徴とする。【００５５】
（１０）また、本発明の無線通信システムは、上述の無線通信システムであって、前記判定結果が示す種別に対応する項目は、前記判定結果が示す種別が第二種サブフレームのときは、さらに、上りリンクの無線リソース割当情報および上りリンクの送信電力コマンド情報を含むことを特徴とする。【００５６】
（１１）また、本発明の基地局装置は、第一種のデータを配置する第一種サブフレームと第二種のデータを配置する第二種サブフレームとを時間多重して送信する基地局装置において、前記サブフレーム各々の種別を決定する無線リソース制御部と、配置される前記サブフレームの種別に応じた項目からなる第一種制御信号を生成する第一種制御信号生成部と、前記サブフレーム各々の予め決められた領域に配置され、配置される前記サブフレーム内における前記第一種制御信号が配置される領域を表すとともに、前記第一種サブフレームを配置可能なサブフレームを指定する情報であって予め保持している第一種サブフレーム候補情報により、前記配置されるサブフレームが前記第一種サブフレームを配置可能なサブフレームに指定されているときは、前記配置されるサブフレームの種別を表す前記第二種制御信号を生成する第二種制御信号生成部と、各々に前記第一種制御信号と前記第二種制御信号とが配置された前記第一種サブフレームと前記第二種サブフレームとを、前記無線リソース制御部が決定したサブフレームの種別に従い多重する多重部と、前記多重部で多重した結果の信号を送信する送信部とを具備することを特徴とする。【００５７】
（１２）また、本発明の移動局装置は、第一種のデータを配置する第一種サブフレームと第二種のデータを配置する第二種サブフレームとを時間多重された信号を受信する移動局装置において、前記時間多重された信号を受信する受信部と、前記第一種サブフレームを配置可能なサブフレームを指定する情報であって予め保持している第一種サブフレーム候補情報と、前記サブフレームの予め決められた領域に配置され、配置されるサブフレームの種別に応じた項目からなる第一種制御信号が配置される前記サブフレーム内における領域を表す第二種制御信号であって、前記第一種サブフレーム候補情報により、前記サブフレームが前記第一種サブフレームを配置可能なサブフレームに指定されているときは、前記サブフレームの種別を表す第二種制御信号とに基づき、前記受信部が受信した信号のサブフレームの種別を判定するフレーム種別判定部と、前記受信部が受信した信号のサブフレームに対して、前記フレーム種別判定部の判定結果が示す種別に対応する項目の前記第一種制御信号の検出処理を行なう第一種制御信号検出部とを具備することを特徴とする。【００５８】
（１３）また、本発明の無線送信方法は、第一種のデータを配置する第一種サブフレームと第二種のデータを配置する第二種サブフレームとを時間多重して送信する基地局装置における無線送信方法において、前記基地局装置が、前記サブフレーム各々の種別を決定する第１の過程と、前記基地局装置が、配置される前記サブフレームの種別に応じた項目からなる第一種制御信号を生成する第２の過程と、前記基地局装置が、前記サブフレーム各々の予め決められた領域に配置され、配置される前記サブフレーム内における前記第一種制御信号が配置される領域を表すとともに、前記第一種サブフレームを配置可能なサブフレームを指定する情報であって予め保持している第一種サブフレーム候補情報により、前記配置されるサブフレームが前記第一種サブフレームを配置可能なサブフレームに指定されているときは、前記配置されるサブフレームの種別を表す前記第二種制御信号を生成する第３の過程と、前記基地局装置が、各々に前記第一種制御信号と前記第二種制御信号とが配置された前記第一種サブフレームと前記第二種サブフレームとを、前記第１の過程にて決定したサブフレームの種別に従い多重する第４の過程と、前記基地局装置が、前記第４の過程にて多重した結果の信号を送信する第５の過程とを備えることを特徴とする。【００５９】
（１４）また、本発明の無線受信方法は、第一種のデータを配置する第一種サブフレームと第二種のデータを配置する第二種サブフレームとを時間多重された信号を受信する移動局装置における無線受信方法において、前記移動局装置が、前記時間多重された信号を受信する第１の過程と、前記移動局装置が、前記第一種サブフレームを配置可能なサブフレームを指定する情報であって予め保持している第一種サブフレーム候補情報と、前記サブフレームの予め決められた領域に配置され、配置されるサブフレームの種別に応じた項目からなる第一種制御信号が配置される前記サブフレーム内における領域を表す第二種制御信号であって、前記第一種サブフレーム候補情報により、前記サブフレームが前記第一種サブフレームを配置可能なサブフレームに指定されているときは、前記サブフレームの種別を表す第二種制御信号とに基づき、前第１の過程にて受信した信号のサブフレームの種別を判定する第２の過程と、前記移動局装置が、前記第１の過程にて受信した信号のサブフレームに対して、前記第２の過程の判定結果が示す種別に対応する項目の前記第一種制御信号の検出処理を行なう第３の過程とを備えることを特徴とする。
【発明の効果】
【００６０】
この発明によれば、第一種サブフレーム候補情報により第一種サブフレームを配置可能と指定されているサブフレームにおいては、第二種の制御信号は第一種の制御信号を配置する領域を表すとともに、サブフレームの種別を表す信号とし、移動局装置においては、その種別に応じた項目の第一種制御信号の検出処理を行うので、伝送効率を低下させることなく、サブフレームの種別を判定可能とし、第一種制御信号の復号処理の回数を減らすことができる。
【図面の簡単な説明】
【００６１】
【図１】この発明の一実施形態における基地局装置１から移動局装置２への下りリンク無線フレームの概略構成を示す図である。
【図２】同実施形態におけるユニキャストサブフレームの概略構成を例示する図である。
【図３】同実施形態における基地局装置１が４本の送信アンテナを使ってユニキャストサブフレームの信号を送信しているときの下りリンクパイロットチャネルの配置を示す図である。
【図４】同実施形態におけるマルチキャストサブフレームの概略構成を例示する図である。
【図５】同実施形態における基地局装置１が４本の送信アンテナを使ってマルチキャストサブフレームの信号を送信しているときの下りリンクパイロットチャネルの配置を示す図である。
【図６】同実施形態における下りリンク制御チャネルのサイズを表す制御フォーマットインディケータチャネルの配置を説明する図である。
【図７】同実施形態におけるマルチキャストサブフレーム配置パターンを説明する図である。
【図８】同実施形態における基地局装置１の構成を示す概略ブロック図である。
【図９】同実施形態における基地局装置１の送信処理部１３の内部構成を示す概略ブロック図である。
【図１０】同実施形態における下りリンク制御チャネル処理部３３の符号部３３１の内部構成を示す概略ブロック図である。
【図１１】同実施形態における１本または２本の送信アンテナから送信しているときの基地局装置１の制御部１１による制御フォーマットインディケータ信号生成部３５の制御を説明するフローチャートである。
【図１２】同実施形態における図１１の制御方法における制御フォーマットインディケータ信号の示すビット列とサブフレームの種別と下りリンク制御チャネルのＯＦＤＭシンボル数の関係を示す表である。
【図１３】同実施形態における４本の送信アンテナから送信しているときの基地局装置１の制御部１１による制御フォーマットインディケータ信号生成部３５の制御を説明するフローチャートである。
【図１４】同実施形態における図１３の制御方法における制御フォーマットインディケータ信号の示すビット列とサブフレームの種別と下りリンク制御チャネルのＯＦＤＭシンボル数の関係を示す表である。
【図１５】同実施形態における移動局装置２が記憶する制御フォーマットインディケータ信号の示すビット列と、サブフレームの種別および下りリンク制御チャネルのＯＦＤＭシンボル数との対応付けの表である。
【図１６】同実施形態における制御フォーマットインディケータ信号の示すビット列とサブフレームの種別と下りリンク制御チャネルのＯＦＤＭシンボル数の関係を示す図１２の表の変形例である。
【図１７】同実施形態における制御方法における制御フォーマットインディケータ信号の示すビット列とサブフレームの種別と下りリンク制御チャネルのＯＦＤＭシンボル数の関係を示す図１４の表の変形例である。
【図１８】同実施形態における未使用の制御フォーマットインディケータ信号を用いたときの制御フォーマットインディケータ信号の示すビット列とサブフレームの種別と下りリンク制御チャネルのＯＦＤＭシンボル数の関係を示す表である。
【図１９】同実施形態における移動局装置２の構成を示す概略ブロック図である。
【図２０】同実施形態における移動局装置２の受信処理部２２の内部構成を示す概略ブロック図である。
【図２１】同実施形態における移動局装置２の復号部２３１の内部構成を示す概略ブロック図である。
【図２２】同実施形態における移動局装置２の信号判断部２１１の動作を説明するフローチャートの例である。
【図２３】同実施形態における移動局装置２のレートデマッチング部の動作の例を説明するフローチャートである。
【図２４】従来のＥＵＴＲＡにおけるチャネルの概略構造を示す図である。
【図２５】従来のＥＵＴＲＡにおける下りリンク無線フレームの概略構成を示す図である
【図２６】従来のＥＵＴＲＡにおける下りリンクのユニキャストサブフレームにおける１物理リソースブロックＰＲＢペア内の下りリンクパイロットチャネルの配置を説明する図である。
【図２７】従来のＥＵＴＲＡにおける下りリンクにおけるマルチキャストサブフレームの概略構成を示す図である。
【図２８】従来のＥＵＴＲＡにおける下りリンクのマルチキャストサブフレームにおける１物理リソースブロックＰＲＢペア内の下りリンクパイロットチャネルの配置を説明する図である。
【図２９】従来のＥＵＴＲＡにおける下りリンク制御チャネルのサイズを表す制御フォーマットインディケータチャネルの配置を説明する図である。
【図３０】従来のＥＵＴＲＡにおける制御フォーマットインディケータ信号の示すビット列と下りリンク制御チャネルのＯＦＤＭシンボル数の関係を示す表である。
【図３１】従来のＥＵＴＲＡにおけるマルチセル送信をするマルチキャスト／ユニキャスト ミックスセルの無線フレームの概略構成を示す図である。
【図３２】従来のＥＵＴＲＡにおけるマルチセル送信のマルチキャスト／ユニキャスト ミックスセルのマルチキャストサブフレーム配置パターンを説明する図である。
【図３３】従来のＥＵＴＲＡにおける下りリンク制御チャネルに配置される制御データを符号化する手順例を説明するフローチャートである。
【図３４】従来のＥＵＴＲＡにおける下りリンク制御チャネルに配置される制御データを復号化する手順例を説明するフローチャートである。
【発明を実施するための形態】
【００６２】
以下、図面を参照して、本発明の実施の形態について説明する。本実施形態による無線通信システムは、複数の基地局装置１と、該基地局装置が送信した信号を受信する複数の移動局装置２とを具備する。なお、本実施形態による無線通信システムの構成の概略は、図２４に示したものと同様である。
基地局装置１から移動局装置２への無線通信の下りリンクは、下りリンクパイロットチャネル、下りリンク同期チャネル、報知チャネル、下りリンク制御チャネル、下りリンク共有データチャネル、制御フォーマットインディケータチャネル、下りリンクＨＡＲＱ（Hybrid Automatic Repeat reQuest）インディケータチャネル、マルチキャストチャネルより構成されている。
また、移動局装置２から基地局装置１への無線通信の上りリンクは、上りリンクパイロットチャネルと、ランダムアクセスチャネルと、上りリンク制御チャネルと、上りリンク共有データチャネルとにより構成されている。
【００６３】
<無線フレーム>
図１は、本実施形態における基地局装置１から移動局装置２への下りリンク無線フレーム（無線リソース）の概略構成を示す図である。図１において、横軸は時間軸、縦軸は周波数軸である。下りリンク無線フレームは、集中（Ｌｏｃａｌｉｚｅｄ）送信の際の各移動局装置２への無線リソース割り当てなどの単位であり、予め決められた幅の周波数帯（ＰＲＢ帯域幅）および時間帯（サブフレーム）からなる物理リソースブロックＰＲＢ（Ｐｈｙｓｉｃａｌ  Ｒｅｓｏｕｒｃｅ  Ｂｌｏｃｋ）ペアから構成されている。基本的に１物理リソースブロックＰＲＢペアは時間領域で連続する２個の物理リソースブロックＰＲＢ（ＰＲＢ帯域幅×スロット）から構成される。
【００６４】
システム帯域幅は、基地局装置１の通信帯域幅であり、下りリンク無線フレームではシステム帯域幅に応じて複数の物理リソースブロックＰＲＢが配置される。時間領域においては、２個のスロットから構成されるサブフレーム（時間フレーム）、１０個のサブフレームから構成される無線フレームがある。また、無線フレームには、複数の移動局装置２に宛てたブロードキャストデータまたはマルチキャストデータ（狭義のマルチキャストデータ）の総称であるマルチキャストデータ（広義のマルチキャストデータ、ＭＢＭＳ（Multimedia Broadcast/Multicast Service）データ、第一種のデータ）を伝送するマルチキャストチャネルが配置されるマルチキャストサブフレーム（Multicast/Broadcast over Single Frequency Network Subframe、第一種時間フレーム）と、情報データやシステム情報などの一つの移動局装置２に宛てたユニキャストデータ（第二種のデータ）を伝送する下りリンク共有データチャネルが配置されるユニキャストサブフレーム（第二種時間フレーム）とが時間多重される。なお、以下で、単にマルチキャストデータというときは広義のマルチキャストデータを指す。
【００６５】
<ユニキャストサブフレーム>
図２は、本実施形態におけるユニキャストサブフレームの概略構成を例示する図である。図２において、横軸は時間軸、縦軸は周波数軸である。ユニキャストサブフレームにおいては、１個の物理リソースブロックＰＲＢは周波数領域において１２個のサブキャリアから構成され、時間領域において７個のＯＦＤＭシンボルから構成される。時間領域においては、７個のＯＦＤＭシンボルからスロットが構成され、２個のスロットからサブフレームが構成される。
【００６６】
各ユニキャストサブフレームには少なくとも、情報データとシステム情報の送信に用いる下りリンク共有データチャネル、制御データの送信に用いる下りリンク制御チャネルが配置される。下りリンク共有データチャネルおよび下りリンク制御チャネルのチャネル推定に用いる下りリンクパイロットチャネルについては図２において図示は省略する。図２では、下りリンク制御チャネルは、ハッチングされた四角で示すサブフレームの１番目と２番目と３番目のＯＦＤＭシンボルに配置され、下りリンク共有データチャネルは、ハッチング無しの四角で示すその他のＯＦＤＭシンボルに配置された場合を示しているが、下りリンク制御チャネルが配置されるＯＦＤＭシンボルはサブフレーム単位で変化する。
【００６７】
なお、図２において図示は省略しているが、制御フォーマットインディケータチャネルは１番目のＯＦＤＭシンボルの予め決められた周波数位置に配置される。制御フォーマットインディケータチャネルには、下りリンク制御チャネルのＯＦＤＭシンボル数を示す情報が配置される。下りリンク制御チャネルは先頭から１番目のＯＦＤＭシンボルのみに配置されたり、先頭から１番目と２番目のＯＦＤＭシンボルに配置されたり、先頭から１番目から３番目までのＯＦＤＭシンボルに亘って配置されたりする。
【００６８】
また、同様に、図２において図示は省略しているが、下りリンクＨＡＲＱインディケータチャネルは下りリンク制御チャネルが配置されるＯＦＤＭシンボルに配置される、つまり下りリンク制御チャネルと周波数多重される。なお、同一のＯＦＤＭシンボルにおいて下りリンク制御チャネルと下りリンク共有データチャネルは一緒に配置されない。下りリンク制御チャネルには、複数の上りリンク無線リソース割当情報、下りリンク無線リソース割当情報、送信電力コマンド情報が配置される。
【００６９】
<ユニキャストサブフレームのパイロットチャネル>
図３は、基地局装置１が４本の送信アンテナを使ってユニキャストサブフレームの信号を送信しているとき、ユニキャストサブフレームの物理リソースブロックＰＲＢペア内の下りリンクパイロットチャネルの配置を示す図である。図３において、縦軸は周波数軸であり、横軸は時間軸である。符号Ｒ１が付されたリソースエレメントは、送信アンテナ１が送信する下りリンクパイロットチャネルのリソースエレメントを表す。符号Ｒ２が付されたリソースエレメントは、送信アンテナ２が送信する下りリンクパイロットチャネルのリソースエレメントを表す。符号Ｒ３が付されたリソースエレメントは送信アンテナ３が送信する下りリンクパイロットチャネルのリソースエレメントを表し、符号Ｒ４が付されたリソースエレメントは送信アンテナ４が送信する下りリンクパイロットチャネルのリソースエレメントを表す。
【００７０】
なお、基地局装置１が２本の送信アンテナのみを有する場合は、２番目のＯＦＤＭシンボルにおけるリソースエレメントＲ３とＲ４では下りリンク制御チャネルが送信され、９番目のＯＦＤＭシンボルにおけるリソースエレメントＲ３とＲ４では下りリンク共有データチャネルが送信される。
【００７１】
<マルチキャストサブフレーム>
図４は、本実施形態におけるマルチキャストサブフレームの概略構成を例示する図である。図４において、横軸は時間軸、縦軸は周波数軸である。マルチキャストサブフレームにおいては、１個の物理リソースブロックＰＲＢは周波数領域において１２個のサブキャリアから構成され、時間領域において６個のＯＦＤＭシンボルから構成される。時間領域においては、６個のＯＦＤＭシンボルからスロットが構成され、２個のスロットからサブフレームが構成される。
【００７２】
各マルチキャストサブフレームには、少なくともマルチキャストデータの送信に用いるマルチキャストチャネルが配置される。マルチキャストチャネルおよび下りリンク制御チャネルのチャネル推定に用いる下りリンクパイロットチャネルについては図４においては図示せず、その配置の説明は後述する。図４では、下りリンク制御チャネルは、ハッチングされた四角で示すサブフレームの１番目と２番目のＯＦＤＭシンボルに配置され、マルチキャストチャネルは、ハッチング無しの四角で示すその他のＯＦＤＭシンボルに配置された場合を示しているが、下りリンク制御チャネルが配置されるＯＦＤＭシンボルはサブフレーム単位で変化する。
【００７３】
マルチキャストサブフレームにおいて、マルチキャストサブフレームを構成するＯＦＤＭシンボル数はユニキャストサブフレームを構成するＯＦＤＭシンボル数よりも少ないが、マルチキャストチャネルの配置されるＯＦＤＭシンボル長はユニキャストサブフレームのＯＦＤＭ長に比べて長くなっており、マルチキャストサブフレームとユニキャストサブフレームのスロットの時間長は同じになる。しかし、マルチキャストサブフレームの下りリンク制御チャネルが配置されるＯＦＤＭシンボルの長さは、ユニキャストサブフレームの下りリンク制御チャネルのＯＦＤＭシンボル長と同じであるため、マルチキャストサブフレームとユニキャストサブフレームの時間長を同じにするために、マルチキャストサブフレームでは下りリンク制御チャネルのＯＦＤＭシンボルとマルチキャストチャネルのＯＦＤＭシンボルの間に予備のサンプルを配置する。
【００７４】
なお、図４において図示は省略しているが、制御フォーマットインディケータチャネルはユニキャストサブフレームと同様に１番目のＯＦＤＭシンボルの予め決められた周波数位置に配置され、下りリンク制御チャネルを構成するＯＦＤＭシンボル数を示す。下りリンク制御チャネルは１番目のＯＦＤＭシンボルのみに配置されたり、１番目と２番目のＯＦＤＭシンボルに配置されたりする。また、同様に、図４において図示は省略しているが、下りリンクＨＡＲＱインディケータチャネルは下りリンク制御チャネルが配置されるＯＦＤＭシンボルに配置される、つまり下りリンク制御チャネルと周波数多重される。なお、同一のＯＦＤＭシンボルにおいて下りリンク制御チャネルとマルチキャストチャネルは一緒に配置されない。下りリンク制御チャネルは、複数の上りリンク無線リソース割当情報と送信電力コマンド情報が配置される。
【００７５】
<マルチキャストサブフレームのパイロットチャネル>
図５は、基地局装置１が５本の送信アンテナを使ってマルチキャストサブフレームの信号を送信しているとき、マルチキャストサブフレームの物理リソースブロックＰＲＢペア内の下りリンクパイロットチャネルの配置を示す図である。図５において、縦軸は周波数軸であり、横軸は時間軸であり、符号Ｒ１が付されたリソースエレメントは送信アンテナ１が送信する下りリンクパイロットチャネルのリソースエレメントを表し、符号Ｒ２が付されたリソースエレメントは送信アンテナ２が送信する下りリンクパイロットチャネルのリソースエレメントを表し、符号Ｒ３が付されたリソースエレメントは送信アンテナ３が送信する下りリンクパイロットチャネルのリソースエレメントを表し、符号Ｒ４が付されたリソースエレメントは送信アンテナ４が送信する下りリンクパイロットチャネルのリソースエレメントを表し、符合Ｒ５が付されたリソースエレメントは送信アンテナ５が送信する下りリンクパイロットチャネルのリソースエレメントを表す。
【００７６】
図５においては、１番目と２番目のＯＦＤＭシンボルに下りリンク制御チャネルが、１番目のＯＦＤＭシンボルにＲ１とＲ２が配置される下りリンクパイロットチャネルが、２番目のＯＦＤＭシンボルにＲ３とＲ４が配置される下りリンクパイロットチャネルが配置される。基地局装置１が５本の送信アンテナを備え、４本の送信アンテナを用いてユニキャストサブフレームおよびマルチキャストサブフレームの下りリンク制御チャネルの信号を送信しているときは、下りリンク制御チャネルの伝播路を補償するためにはリソースエレメントＲ１とＲ２とＲ３とＲ４に配置される下りリンクパイロットチャネルが必要になるので、マルチキャストサブフレームの下りリンク制御チャネルは必ず１番目と２番目のＯＦＤＭシンボルに配置される。
【００７７】
<制御フォーマットインディケータチャネル>
図６は、下りリンク制御チャネルのサイズを表す制御フォーマットインディケータチャネル（PCFICH；Physical Control Format Indicator Channel）の配置を説明する図である。なお、ユニキャストサブフレームとマルチキャストサブフレームにおける制御フォーマットインディケータチャネルの配置は同じである。図６は、ユニキャストサブフレームとマルチキャストサブフレームの１番目のＯＦＤＭシンボルを表しており、横軸は時間軸、縦軸は周波数軸である。図６において、斜線のリソースエレメントは下りリンク制御チャネルを表し、ＰＣＦＩＣＨと付されたリソースエレメントは制御フォーマットインディケータチャネルを表す。図６においては説明の簡略化のため下りリンク共有データチャネルおよび下りリンク制御チャネルのチャネル推定に用いる下りリンクパイロットチャネルについては図示していないが、実際には下りリンクパイロットチャネルを配置するリソースエレメントを避けて制御フォーマットインディケータチャネルが配置される。
【００７８】
制御フォーマットインディケータチャネルは周波数方向に連続した４つのリソースエレメントをグループとして、４つのリソースエレメントグループが周波数領域に等間隔に配置される。つまり、全部で１６のリソースエレメントに制御フォーマットインディケータチャネルが配置される。本実施形態において、この制御フォーマットインディケータチャネルに配置される信号については、後述する。なお、制御フォーマットインディケータチャネルを配置するリソースエレメントは、システム帯域幅に含まれるリソースエレメントの数とセルＩＤから決定する。
【００７９】
<マルチキャストサブフレーム配置パターン（MBSFN subframe allocation pattern）> 
基地局装置１において、マルチキャストサブフレームを配置可能なサブフレームを指定する情報（ＭＢＳＦＮ  ｓｕｂｆｒａｍｅ  ａｌｌｏｃａｔｉｏｎ  ｐａｔｔｅｒｎ；以下、「マルチキャストサブフレーム配置パターン」という（その他に、ＭＢＳＦＮ  ｓｕｂｆｒａｍｅ  ｃｏｎｆｉｇｕｒａｔｉｏｎ；ＭＢＳＣやＭＢＳＦＮ  ｓｕｂｆｒａｍｅ  ａｌｌｏｃａｔｉｏｎ  ｓｉｇｎａｌｌｉｎｇなどと呼ばれることもある）が下りリンク共有データチャネルのシステム情報で送信される。
【００８０】
図７は、マルチキャストサブフレーム配置パターンを説明する図である。図７において、横軸は時間軸、縦軸は周波数軸である。マルチキャストサブフレーム配置パターンはある周期におけるマルチキャストサブフレームを配置可能なサブフレームの指定を表す情報であり、次の周期において、マルチキャストサブフレーム配置パターンが変更されなければ次のマルチキャストサブフレーム配置パターンの周期でも同じサブフレームがマルチキャストサブフレームとして予約される。マルチキャストサブフレーム配置パターンの周期は８０ｍｓであり、マルチキャストサブフレーム配置パターンをビットマップで表すには６４ビットが必要になる（無線フレームの第１番目と第６番目のサブフレームはユニキャストサブフレームで固定のため８０ビットよりも１６ビット少ないビットで良い）。
【００８１】
<マルチキャストサブフレームを配置可能なサブフレーム（MBSFN subframe）のユニキャストサブフレームとしての再利用>
基地局装置１がマルチキャストチャネルで送信するマルチキャストデータの一部を失った場合など、適用しているマルチキャストサブフレーム配置パターンにて伝送可能なマルチキャスト可能なデータ量より基地局装置１が保持するマルチキャストデータが少ないときは、マルチキャストサブフレーム配置パターンにて指定されたマルチキャストサブフレームを配置可能なサブフレームのうち、その少ない分が影響を与えるサブフレーム、すなわち伝送すべきマルチキャストデータを基地局装置１が保持していないサブフレームは、マルチキャストサブフレームにはせずに、ユニキャストサブフレームとする。
【００８２】
<制御データフォーマット（DCI(Down link Control Information) format > 
下りリンク制御チャネルには複数の制御データが配置される。また、下りリンク制御チャネルに配置される制御データの種類には、以下の３つがある。
（１）１つの移動局装置に対する下りリンク共有データチャネルの無線リソース割当の制御データ（以下、「下りリンク無線リソース割当情報」という）。
（２）１つの移動局装置に対する上りリンク共有データチャネルの無線リソース割当の制御データ（以下、「上りリンク無線リソース割当情報」という）。
（３）１つの移動局装置に対する上りリンク共有データチャネルと上りリンク制御チャネルの送信電力の制御命令（以下、「送信電力コマンド」という）の集合からなる制御データ（以下、「送信電力コマンド情報」という）。
ユニキャストサブフレームの下りリンク制御チャネルには、上述の３つの種類の制御データ（下りリンク無線リソース割当情報、上りリンク無線リソース割当情報、送信電力コマンド情報）が配置されるが、マルチキャストサブフレームの下りリンク制御チャネルには、上述の３つのうち、上りリンク無線リソース割当情報と送信電力コマンド情報の２つのみが配置される。
【００８３】
<符号化（Coding）>
下りリンク制御チャネルに配置される制御データを符号化する手順を説明する。
最初に、制御データと誤り検出符号を多重する。誤り検出符号は予め決められた生成多項式を用いて制御データより生成される。次に、誤り検出符号を多重した制御データを畳み込み符号化する。次に、畳み込み符号化した制御データをレートマッチングしてからＱＰＳＫ変調する。次に、ＱＰＳＫ変調した制御データを、下りリンク制御チャネルのリソースエレメントに配置をする。ＱＰＳＫ変調後の制御データのサイズによって制御データがマッピングされる下りリンク制御チャネルのリソースエレメントの組み合わせは限定される。なお、基地局装置１が、送信ダイバーシチを用いて複数の送信アンテナから下りリンク制御チャネルを送信する場合は、ＱＰＳＫ変調後、送信ダイバーシチ処理を行って下りリンク制御チャネルのリソースエレメントにマッピングする。なお、本実施形態では、下りリンク制御チャネルにはＱＰＳＫ変調（４値位相偏移変調）を用いるとして説明したが、その他の変調方式を用いてもよい。
【００８４】
<レートマッチング>
レートマッチングは、畳み込み符号化した制御データのサイズと制御データをマッピングする下りリンク制御チャネルの物理リソースのサイズを合わせるために、畳み込み符号化した制御データの繰り返し（ｒｅｐｅｔｉｔｉｏｎ）処理や間引き（ｐｕｎｃｔｕｒｅ）処理をして符号化率を変更することである。本実施形態では、レートマッチング後の制御データのサイズとして４つのサイズが選択できる。この４つのサイズとは、ＱＰＳＫ変調後に、３６リソースエレメント、７２リソースエレメント、１４４リソースエレメント、２８８リソースエレメントとなるサイズ、すなわち７２ビット、１４４ビット、２８８ビット、５７６ビットである。
【００８５】
なお、異なる制御データのサイズを異なるサイズの物理リソースに対して繰り返し処理または間引き処理をするべきパターンは異なる。つまり、下りリンク無線リソース割当情報と上りリンク無線リソース割当情報などのサイズの違う制御データは異なるレートマッチングを用いる。また、レートマッチング前の制御データのサイズが同じ制御データでもレートマッチング後の制御データのサイズを異なるようにして符号化率を変更する場合、異なるレートマッチングを用いる。
【００８６】
<基地局装置１>
本実施形態の基地局装置１は、下りリンク共有データチャネルに配置されるシステム情報に、マルチキャストサブフレーム（第一種時間フレーム）を配置可能なサブフレームを指定する情報であって、外部から入力されるマルチキャストサブフレーム配置パターン（第一種時間フレーム候補情報）を含めて送信する。基地局装置１は、マルチキャストサブフレーム配置パターンによりマルチキャストサブフレームを配置可能であることが示されたサブフレームに対して、他装置との通信の遅延によりマルチキャストデータの一部を失ったなど、配置すべきマルチキャストデータ（第一種のデータ）がないときは、そのサブフレームをユニキャストサブフレーム（第二種時間フレーム）として情報データ（第二種のデータ）を配置して送信する。この際、このユニキャストサブフレームの制御フォーマットインディケータチャネル（第二種制御信号）にマルチキャストサブフレームで使用するビット列とは異なるビット列を割り当てることで、このサブフレームがユニキャストサブフレームであることを示す。
【００８７】
図８は、本発明の実施形態における基地局装置１の構成を示す概略ブロック図である。図８に示すように、基地局装置１は、無線リソース制御部１０、制御部１１、受信処理部１２、送信処理部１３を具備する。無線リソース制御部１０は、外部から入力されるマルチキャストサブフレーム配置パターンを受けて、これを記憶する。さらに、無線リソース制御部１０は、移動局装置２との間欠送受信サイクル、変調方式・符号化率、送信電力、下りリンク共有データチャネルの無線リソース割り当て、マルチキャストサブフレームとユニキャストサブフレームの配置すなわち時間フレーム各々の種別の決定、下りリンク制御チャネルを構成するＯＦＤＭシンボル数、下りリンク制御チャネルや下りリンク共有データチャネルやマルチキャストチャネルなどの多重などを管理する。そして、無線リソース制御部１０は、これらの管理内容を指示する制御信号を制御部１１に出力すると共に、制御部１１、送信処理部１３を通して移動局装置２に制御データとして通知する。また、マルチキャストサブフレーム配置パターンについては、無線リソース制御部１０は、制御信号とともに制御部１１に出力し、制御部１１、送信処理部１３を通して移動局装置２にシステム情報として予め送信する。また、無線リソース制御部１０は、上りリンクの変調方式、符号化率、多重などについても管理し、この管理内容を指示する制御信号を制御部１１に出力する。
【００８８】
制御部１１は、無線リソース制御部１０から入力された制御信号に基づいて送信処理部１３と受信処理部１２の制御を行うために、送信処理部１３と受信処理部１２に制御信号を出力する。制御部１１は、送受信信号の変調方式、符号化率の設定、下りリンク制御チャネルを構成するＯＦＤＭシンボル数の設定、各チャネルのリソースエレメントへの配置設定、マルチキャストサブフレームとユニキャストサブフレームの配置、下りリンクパイロットチャネルの生成などの制御を、送信処理部１３および受信処理部１２に対して行う。また、制御部１１は、無線リソース制御部１０から入力された制御信号に基づき、下りリンク制御チャネルに配置する制御データを生成し、送信処理部１３に送信を指示する。
また、制御部１１は、無線リソース制御部１０から入力されたマルチキャストサブフレーム配置パターンを含む下りリンク共有データチャネルに配置するシステム情報を生成し、送信処理部１３に情報データと共にデータとして送信を行うように指示する。
【００８９】
送信処理部１３は、制御部１１からの入力に基づき、外部から入力された情報データおよび制御部１１から入力された情報データとシステム情報を伝送する下りリンク共有データチャネル、外部から入力されたマルチキャストデータを伝送するマルチキャストチャネル、下りリンク制御チャネル、下りリンクパイロットチャネル、制御フォーマットインディケータチャネルを生成し、各チャネルを下りリンク無線フレームに多重し、複数の、例えば４つの送信アンテナを介して、各移動局装置２に送信する。なお、本発明とは直接の関連がないため、報知チャネル、下りリンク同期チャネル、下りリンクＨＡＲＱインディケータチャネルに関する処理の説明は省略する。
【００９０】
受信処理部１２は、制御部１１からの入力に基づき、各移動局装置２が送信した上りリンク制御チャネル、上りリンク共有データチャネル、上りリンクパイロットチャネル、ランダムアクセスチャネルの受信を受信アンテナを介して行い、上りリンク共有データチャネルから検出した情報データを外部に出力する。なお、本発明とは直接の関連がないため、上りリンクに関する処理（受信処理部１２）の詳細な説明は省略する。
【００９１】
図９は、本実施形態における基地局装置１の送信処理部１３の内部構成を示す概略ブロック図である。基地局装置１の送信処理部１３は、複数の下りリンク共有データチャネル処理部３１と、マルチキャストチャネル処理部３２と、複数の下りリンク制御チャネル処理部（第一種制御信号生成部）３３と、参照信号生成部３４と、制御フォーマットインディケータ信号生成部（第二種制御信号生成部）３５と、多重部３６と、送信アンテナ毎にアンテナ毎送信処理部（送信部）３７とを具備する。複数の下りリンク共有データチャネル処理部３１、複数の下りリンク制御チャネル処理部３３、送信アンテナ毎の送信アンテナ毎送信処理部３７は、各々同様の構成および機能を有するので、それぞれの一つを代表して説明する。
【００９２】
下りリンク共有データチャネル処理部３１は、外部から入力された情報データ、および制御部１１から入力されたシステム情報について下りリンク共有データチャネルの処理を行う。すなわち各々の下りリンク共有データチャネル処理部３１は、いずれか一つの移動局装置２宛ての情報データを受けて、ターボ符号化およびデータ変調を行い、該移動局装置２宛ての信号を生成するか、マルチキャストサブフレーム配置パターンなどのシステム情報を受けて、ターボ符号化およびデータ変調を行い、不特定多数の移動局装置２宛の信号を生成する。下りリンク共有データチャネル処理部３１は、これらのターボ符号化を行うターボ符号部３１１と、これらのデータ変調を行うデータ変調部３１２とを具備する。
なお、ターボ符号部３１１におけるターボ符号化の符号化率およびデータ変調部３１２におけるデータ変調の変調方式は、制御部１１からの制御信号による指定に従う。
【００９３】
マルチキャストチャネル処理部３２は、外部から入力されたマルチキャストデータについてマルチキャストチャネルの処理を行う。すなわちマルチキャストチャネル処理部３２は、マルチキャストデータを受けて、ターボ符号化およびデータ変調を行い、不特定多数の移動局装置２宛ての信号を生成する。マルチキャストチャネル処理部３２は、このターボ符号化を行うターボ符号部３２１と、このターボ変調を行うデータ変調部３２２とを具備する。
【００９４】
下りリンク制御チャネル処理部３３は、制御部１１から入力された制御データについて下りリンク制御チャネルの処理を行う。すなわち各々の下りリンク制御チャネル処理部３３は、いずれかの一つの移動局装置２宛の制御データであって、該移動局装置２宛ての下りリンク無線リソース割当情報または上りリンク無線リソース割当情報を含む制御データ、または複数の移動局装置２宛の制御データであって、該複数の移動局装置２郡宛の送信電力コマンド情報を受けて、符号化およびＱＰＳＫ変調を行い、該制御データの信号を生成する。
【００９５】
なお、下りリンク制御チャネル処理部３３は、当該処理部が生成した信号が配置される時間フレームの種別に応じた項目からなる制御データの信号（第一種制御信号）を生成する。例えば、ユニキャストサブフレームに配置される制御データの項目は、上りリンク無線リソース割当情報、下りリンク無線リソース割当情報、送信電力コマンド情報であり、マルチキャストサブフレームに配置される制御データの項目は、上りリンク無線リソース割当情報、送信電力コマンド情報である。下りリンク制御チャネル処理部３３は、これらの符号化を行う符号部３３１と、これらのＱＰＳＫ変調を行うＱＰＳＫ変調部３３２とを具備する。
【００９６】
図１０は、下りリンク制御チャネル処理部３３の符号部３３１の内部構成を示す概略ブロック図である。下りリンク制御チャネルの符号部３３１は、誤り検出符号多重部３３３と、畳み込み符号部３３４と、レートマッチング部３３５とを具備する。
下りリンク制御チャネル処理部３３の符号部３３１は、制御部１１から入力された制御データについて符号化の処理を行う。すなわち、下りリンク制御チャネル処理部３３の符号部３３１において、誤り検出符号多重部３３３は、予め決められた生成多項式を用いて生成する誤り検出符号を制御データに多重する。畳み込み符号部３３４は、誤り検出符号を多重した制御データを畳み込み符号化する。レートマッチング部３３５は、畳み込み符号化した制御データの繰り返し処理や間引き処理をし、該制御データの信号を符号化する。
【００９７】
送信アンテナ毎送信処理部３７は、多重部３６が各送信アンテナ向けに多重した結果の信号を、各送信アンテナを介して送信する。送信アンテナ毎送信処理部３７は、ＩＦＦＴ（Ｉｎｖｅｒｓｅ  Ｆａｓｔ  Ｆｏｕｒｉｅｒ  Ｔｒａｎｓｆｏｒｍ：高速逆フーリエ変換）部３７１と、ＧＩ（Ｇｕａｒｄ  Ｉｎｔｅｒｖａｌ：ガードインターバル）挿入部３７２と、Ｄ／Ａ（ディジタル／アナログ変換）３７３部と、送信ＲＦ（Ｒａｄｉｏ  Ｆｒｅｑｕｅｎｃｙ；無線周波数）部３７４とを具備する。
【００９８】
＜基地局装置１の送信処理＞
複数の下りリンク共有データチャネル処理部３１各々は、外部から入力された情報データ、および制御部１１から入力されたシステム情報（以下、情報データとシステム情報とをあわせて「データ」という）をＯＦＤＭ方式で伝送するためのベースバンド処理を行う。すなわち、下りリンク共有データチャネル処理部３１のターボ符号部３１１は、制御部１１からの符号化率の指示に従い、入力されたデータの誤り耐性を高めるためのターボ符号による誤り訂正符号化を行う。データ変調部３１２は、ＱＰＳＫ、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）等のような変調方式のうち制御部１１から指示された変調方式で、ターボ符号部３１１により誤り訂正符号化されたデータを変調して、変調シンボルを生成する。
【００９９】
マルチキャストチャネル処理部３２は、外部から入力されたマルチキャストデータをＯＦＤＭ方式で伝送するためのベースバンド処理を行う。すなわち、マルチキャストチャネル処理部３２のターボ符号部３２１は、制御部１１からの符号化率の指示に従い、入力されたマルチキャストデータの誤り耐性を高めるためのターボ符号による誤り訂正符号化を行う。データ変調部３２２は、ＱＰＳＫ、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）等のような変調方式のうち制御部１１から指示された変調方式で、ターボ符号部３２１により誤り訂正符号化されたマルチキャストデータを変調して、変調シンボルを生成する。
【０１００】
複数の下りリンク制御チャネル処理部３３各々は、制御データをＯＦＤＭ方式で伝送するためのベースバンド処理を行う。符号部３３１では、制御部１１から入力された制御データを誤り検出符号多重部３３３が制御データと予め決められた生成多項式を用いて生成する誤りを検出するための誤り検出符号の多重を行う。この誤り検出符号が多重された制御データを、畳み込み符号部３３４が制御データの誤り耐性を高めるための畳み込み符号による誤り訂正符号化を行う。この誤り訂正符号化された制御データを、レートマッチング部３３５は、制御データを多重部３６で下りリンク制御チャネルに多重するときのサイズと一致させるための繰り返し処理、または間引き処理を行う。ＱＰＳＫ変調部３３２は、符号部３３１により符号化された制御データ（レートマッチング部３３５によりレートマッチングされた制御データ）をＱＰＳＫ変調方式で変調して、変調シンボルを生成する。
【０１０１】
参照信号生成部３４は、制御部１１からの制御信号に基づいて、下りリンクパイロットチャネルで基地局装置１の各送信アンテナが送信する下りリンク制御チャネルや下りリンク共有データチャネルなどのための参照信号とマルチキャストチャネルのための参照信号を生成する。
制御フォーマットインディケータ信号生成部３５は、図６で示したサブフレーム各々の予め決められた領域に配置され、配置されるサブフレーム内における下りリンク制御チャネルの信号が配置される領域（ＯＦＤＭシンボル）を表す情報を制御フォーマットインディケータチャネルで送信する制御フォーマットインディケータ信号を、制御部１１からの制御信号に基づいて、生成する。また、制御フォーマットインディケータ信号生成部３５は、予め保持しているマルチキャストサブフレーム配置パターンにより、配置されるサブフレームがマルチキャストサブフレームを配置可能なサブフレームに指定されているときは、上述のように下りリンク制御チャネルの信号が配置される領域（ＯＦＤＭシンボル）を表すとともに、配置されるサブフレームの種別を表す制御フォーマットインディケータ信号を生成する。
【０１０２】
また、制御フォーマットインディケータ信号生成部３５は、当該制御フォーマットインディケータ信号生成部３５が生成した信号が配置されるサブフレームがマルチキャストサブフレーム配置パターンによりマルチキャストサブフレームを配置可能なサブフレームに指定されているときには、マルチキャストサブフレームの下りリンク制御チャネルのＯＦＤＭシンボル数の指定には使用しない値であって、当該サブフレームがユニキャストサブフレームであることと下りリンク制御チャネルのＯＦＤＭ数とを指定する値の制御フォーマットインディケータ信号を、制御部１１からの制御信号に基づいて、生成する。なお、基地局装置１は、マルチキャストサブフレーム配置パターンを、外部から入力されるなどして予め保持している。
【０１０３】
多重部３６は、制御部１１からの制御信号に基づいて、下りリンク共有データチャネル処理部３１各々が出力した符号化および変調等の処理済の各移動局装置２宛てのデータの変調シンボルと、マルチキャストチャネル処理部３２が出力した符号化および変調等の処理済の移動局装置２宛てのマルチキャストデータの変調シンボルと、下りリンク制御チャネル処理部３３が出力した符号化および変調等の処理済みの制御データの変調シンボルと、制御フォーマットインディケータ信号と、参照信号とを各送信アンテナ向けのリソースエレメントに配置する。すなわち、多重部３６は、各々に下りリンク制御チャネルと制御フォーマットインディケータ信号とが配置されたマルチキャストサブフレームとユニキャストサブフレームとを、制御部１１が決定したサブフレームの種別に従い多重する。
【０１０４】
また、多重部３６は、下りリンク共有データチャネル処理部３１が生成した変調シンボルとマルチキャストチャネル処理部３２が生成した変調シンボルを同じサブフレームに多重することはしない。つまり、多重部３６は下りリンク共有データチャネル処理部３１が生成した変調シンボルはユニキャストサブフレームのリソースエレメントへ配置し、マルチキャストチャネル処理部３２が生成した送信信号はマルチキャストサブフレームのリソースエレメントへ配置する。
また、多重部３６は、ユニキャストサブフレームの下りリンク制御チャネルには下りリンク無線リソース割当情報、上りリンク無線リソース割当情報、送信電力コマンド情報を配置し、マルチキャストサブフレームの下りリンク制御チャネルには上りリンク無線リソース割当情報、送信電力コマンド情報を配置する。
【０１０５】
ＩＦＦＴ部３７１は、多重部３６により各送信アンテナ向けのリソースエレメントに変調シンボルを配置した信号を高速逆フーリエ変換して、ＯＦＤＭ方式の変調を行う。ＧＩ挿入部３７２は、制御部１１からの制御信号に基づいて、ＩＦＦＴ部３７１によりＯＦＤＭ変調済みの信号にユニキャストサブフレームかマルチキャストサブフレームかによって異なるガードインターバルを付加することで、ＯＦＤＭ方式におけるシンボルとし、ベースバンドのディジタル信号を生成する。また、ＧＩ挿入部３７２は、マルチキャストサブフレーム内においては、マルチキャストチャネルと下りリンク制御チャネルで異なるガードインターバルの時間長を指定し、マルチキャストサブフレームの場合には下りリンク制御チャネルとマルチキャストチャネルとの間に予備のサンプルを多重するよう指定する。
ガードインターバルは、伝送するシンボルの先頭又は末尾の一部を複製する公知の方法によって得る。Ｄ／Ａ部３７３は、ＧＩ挿入部３７２から入力されたベースバンドのディジタル信号をアナログ信号に変換する。
【０１０６】
送信ＲＦ部３７４は、Ｄ／Ａ部３７３から入力されたアナログ信号から、中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、対応する送信アンテナに出力して送信する。基地局装置１は、送信アンテナ毎送信処理部３７を、送信に使用される送信アンテナの数だけ、すなわち、本実施形態では５つ具備し、各送信アンテナ毎送信処理部３７は多重部３６が出力した各送信アンテナ向けの信号のうち、対応する送信アンテナ向けの信号を処理する。
【０１０７】
図１１は、１本または２本の送信アンテナからユニキャストサブフレームの信号を送信しているときの基地局装置１の制御部１１による制御フォーマットインディケータ信号生成部３５の制御を説明するフローチャートである。まず、制御部１１は、現在処理対象のサブフレームが、無線リソース制御部１０が記憶するまたは無線リソース制御部１０から受けたマルチキャストサブフレーム配置パターン、すなわち移動局装置２に送信されたマルチキャストサブフレーム配置パターンで、マルチキャストサブフレームを配置可能と指定されたサブフレームか否かを判定する（Ｓａ１）。
【０１０８】
制御部１１が、マルチキャストサブフレームを配置可能と指定されたサブフレームではないと判定した場合（Ｓａ１−Ｎｏ）、このサブフレームはユニキャストフレームなので、制御部１１は制御フォーマットインディケータ信号生成部３５が制御フォーマットインディケータ信号として、下りリンク制御チャネルのＯＦＤＭシンボル数に応じて“１”か“２”か“３”を示すビット列を選択して生成するように制御する（Ｓａ２）。
ステップＳａ１において、制御部１１が該サブフレームはマルチキャストサブフレーム配置パターンでマルチキャストサブフレームを配置可能と指定したサブフレームであると判定した場合（Ｓａ１−Ｙｅｓ）、制御部１１は、さらにマルチキャストデータを送信するか否かを判定する（Ｓａ３）。
【０１０９】
送信するマルチキャストデータがあり、ステップＳａ３において制御部１１がマルチキャストデータを送信すると判定した場合（Ｓａ３−Ｙｅｓ）、制御部１１は制御フォーマットインディケータ信号生成部３５が制御フォーマットインディケータ信号として、下りリンク制御チャネルのＯＦＤＭシンボル数に応じて“１”か“２”を示すビット列を選択して生成するように制御する（Ｓａ４）。これにより、当該サブフレームがマルチキャストサブフレームであることの指定と、下りリンク制御チャネルのＯＦＤＭシンボル数の指定とを併せて行う。
【０１１０】
ステップＳａ３において、送信するマルチキャストデータがなく、制御部１１が、情報データを送信すると判定した場合（Ｓａ３−Ｎｏ）、制御部１１は制御フォーマットインディケータ信号生成部３５が制御フォーマットインディケータ信号として“３”を示すビット列を生成するように制御する（Ｓａ５）。これにより、当該サブフレームがユニキャストサブフレームであることの指定と、下りリンク制御チャネルのＯＦＤＭシンボル数「３」の指定とを併せて行う。
【０１１１】
図１２は、図１１の制御方法で、制御フォーマットインディケータ信号を生成した場合の、制御フォーマットインディケータ信号の示すビット列とサブフレームの種別と下りリンク制御チャネルのＯＦＤＭシンボル数の関係を示す表である。
【０１１２】
本実施形態では、図１２の表に示すように、マルチキャストサブフレーム配置パターンによりマルチキャストサブフレームを配置可能と指定されていないサブフレーム（マルチキャストサブフレーム配置不可）については、必ずユニキャストサブフレームなので、制御フォーマットインディケータ信号が“１”を示すビット列、つまり<0,1,1,0,1,1,0,1,1,0,1,1,0,1,1,0,1,1,0,1,1,0,1,1,0,1,1,0,1,1,0,1>（以下、「<0,1,…>」という）であれば、下りリンク制御チャネルのＯＦＤＭシンボル数は「１」であることを示し、制御フォーマットインディケータ信号が“２”を示すビット列、つまり、<1,0,1,1,0,1,1,0,1,1,0,1,1,0,1,1,0,1,1,0,1,1,0,1,1,0,1,1,0,1,1,0>（以下、「<1,0,…>」という）であれば、下りリンク制御チャネルのＯＦＤＭシンボル数は「２」であることを示し、制御フォーマットインディケータ信号が“３”を示すビット列、つまり、<1,1,0,1,1,0,1,1,0,1,1,0,1,1,0,1,1,0,1,1,0,1,1,0,1,1,0,1,1,0,1,1>（以下、「<1,1,…>」という）であれば、下りリンク制御チャネルのＯＦＤＭシンボル数は「３」であることを示す。
【０１１３】
また、マルチキャストサブフレーム配置パターンによりマルチキャストサブフレームを配置可能と指定されているサブフレーム（マルチキャストサブフレーム配置可能）については、マルチキャストサブフレームのときとユニキャストサブフレームのときがあるので、制御フォーマットインディケータ信号が<0,1,…>の場合、このサブフレームはマルチキャストサブフレームであり、かつ、下りリンク制御チャネルのＯＦＤＭシンボル数は「１」であることを示し、制御フォーマットインディケータ信号が<1,0,…>の場合、このサブフレームはマルチキャストサブフレームであり、かつ、下りリンク制御チャネルのＯＦＤＭシンボル数は「２」であることを示し、制御フォーマットインディケータ信号が<1,1,…>の場合、このサブフレームはユニキャストサブフレームであり、かつ、下りリンク制御チャネルのＯＦＤＭシンボル数は「３」であることを示す。
【０１１４】
移動局装置２は、図１２に示す表の対応付けを、あらかじめ記憶しておき、制御フォーマットインディケータ信号を参照し、マルチキャストサブフレーム配置パターンでマルチキャストサブフレームを配置可能と指定されたサブフレームがマルチキャストサブフレームかユニキャストサブフレームなのかを判定することができる。
【０１１５】
基地局装置１が送信に用いている送信アンテナ数によって、表す制御フォーマットインディケータ信号と、サブフレームの種別、および、下りリンク制御チャネルのＯＦＤＭシンボル数との対応付けを変更するようにしてもよい。例えば、１本、または２本の送信アンテナを用いてユニキャストサブフレームの信号を送信しているときは、上述の図１１に示すフローチャートに従い制御部１１は制御を行ない、上述の図１２に示す表の対応付けを基地局装置１と移動局装置２とは用いるようにし、４本の送信アンテナを用いてユニキャストサブフレームの信号を送信しているときは、後述の図１３に示すフローチャートに従い制御部１１は制御を行ない、後述の図１４に示す表の対応付けを用いる。
【０１１６】
図１３は、ユニキャストサブフレームの信号を、４本の送信アンテナから送信しているときの基地局装置１の制御部１１による制御フォーマットインディケータ信号生成部３５の制御を説明するフローチャートである。まず、制御部１１は、現在処理対象のサブフレームが、無線リソース制御部１０が記憶するまたは無線リソース制御部１０から受けたマルチキャストサブフレーム配置パターン、すなわち移動局装置２に送信されたマルチキャストサブフレーム配置パターンで、マルチキャストサブフレームを配置可能と指定されたサブフレームか否かを判定する（Ｓｂ１）。
【０１１７】
制御部１１が、マルチキャストサブフレームを配置可能と指定されたサブフレームではないと判定した場合（Ｓｂ１−Ｎｏ）、このサブフレームはユニキャストフレームなので、制御部１１は制御フォーマットインディケータ信号生成部３５が制御フォーマットインディケータ信号として、下りリンク制御チャネルのＯＦＤＭシンボル数に応じて“１”か“２”か“３”を示すビット列を選択して生成するように制御する（Ｓｂ２）。
ステップＳａ１において、制御部１１が該サブフレームはマルチキャストサブフレーム配置パターンでマルチキャストサブフレームを配置可能と指定したサブフレームであると判定した場合（Ｓｂ１−Ｙｅｓ）、制御部１１は、さらにマルチキャストデータを送信するか否かを判定する（Ｓｂ３）。
【０１１８】
送信するマルチキャストデータがあり、ステップＳｂ３において制御部１１がマルチキャストデータを送信すると判定した場合（Ｓｂ３−Ｙｅｓ）、送信アンテナ数が４本のときは、マルチキャストサブフレームの下りリンク制御チャネルのＯＦＤＭシンボル数は必ず「２」なので、制御部１１は制御フォーマットインディケータ信号生成部３５が制御フォーマットインディケータ信号として、“２”を示すビット列を生成するように制御する（Ｓｂ４）。これにより、当該サブフレームがマルチキャストサブフレームであることの指定を行う。
【０１１９】
ステップＳｂ３において、送信するマルチキャストデータがなく、制御部１１が、情報データを送信すると判定した場合（Ｓｂ３−Ｎｏ）、制御部１１は制御フォーマットインディケータ信号生成部３５が制御フォーマットインディケータ信号として“１”か“３”を示すビット列を生成するように制御する（Ｓｂ５）。これにより、当該サブフレームがユニキャストサブフレームであることの指定と、下りリンク制御チャネルのＯＦＤＭシンボル数「１」か「３」の指定とを併せて行う。
【０１２０】
図１４は、図１３の制御方法で、すなわち４本の送信アンテナから送信しているときに制御フォーマットインディケータ信号を生成した場合の、制御フォーマットインディケータ信号の示すビット列とサブフレームの構成と下りリンク制御チャネルのＯＦＤＭシンボル数の関係を説明する表である。
【０１２１】
本実施形態では、図１４の表に示すように、マルチキャストサブフレーム配置パターンによりマルチキャストサブフレームを配置可能と指定されていないサブフレーム（マルチキャストサブフレーム配置不可）については、必ずユニキャストサブフレームなので、制御フォーマットインディケータ信号が<0,1,…>であれば、下りリンク制御チャネルのＯＦＤＭシンボル数は「１」であることを示し、制御フォーマットインディケータ信号が<1,0,…>であれば、下りリンク制御チャネルのＯＦＤＭシンボル数は「２」であることを示し、制御フォーマットインディケータ信号が<1,1,…>であれば、下りリンク制御チャネルのＯＦＤＭシンボル数は「３」であることを示し、図１２の表と同じ関係になる。
【０１２２】
また、マルチキャストサブフレーム配置パターンによりマルチキャストサブフレームを配置可能と指定されているサブフレーム（マルチキャストサブフレーム配置可能）については、マルチキャストサブフレームのときとユニキャストサブフレームのときがあるので、制御フォーマットインディケータ信号が<0,1,…>の場合、このサブフレームはユニキャストサブフレームであり、かつ、下りリンク制御チャネルのＯＦＤＭシンボル数は「１」であることを示し、制御フォーマットインディケータ信号が<1,0,…>の場合、サブフレームはマルチキャストサブフレームであり、下りリンク制御チャネルのＯＦＤＭシンボル数は「２」であることを示し、制御フォーマットインディケータ信号が<1,1,…>の場合、サブフレームはユニキャストサブフレームであり、かつ、下りリンク制御チャネルのＯＦＤＭシンボル数は「３」であることを示す。
【０１２３】
４本の送信アンテナを用いてユニキャストサブフレームの送信をしているときは、図３のユニキャストサブフレームおよび図５のマルチキャストサブフレームの構成例に示すように、下りリンク制御チャネルの伝播路推定を行なうための４本の送信アンテナ各々についての下りリンクパイロットチャネルを配置するには、下りリンク制御チャネルのＯＦＤＭシンボル数が「２」または「２」を超える数でなければならない。マルチキャストサブフレームにおけるＯＦＤＭシンボル数の最大は「２」なので、マルチキャストサブフレームを配置可能と指定されたサブフレームについては、ユニキャストサブフレームの信号の送信に４本の送信アンテナを用いており、かつ、ＯＦＤＭシンボル数「２」以外を示す制御フォーマットインディケータ信号のときは、ユニキャストサブフレームであるとすることができる。従って、ユニキャストサブフレームの信号の送信に送信アンテナの本数１または２本の送信アンテナを用いるときにＯＦＤＭシンボル数「１」を示す制御フォーマットインディケータ信号に対して、ユニキャストサブフレームの信号の送信に４本の送信アンテナを用いるときには、サブフレームの種別がユニキャストサブフレームとＯＦＤＭシンボル数が「１」とを対応付けておき、マルチキャストサブフレームを配置可能と指定されたサブフレームをＯＦＤＭシンボル数「１」のユニキャストサブフレームとして選択することを可能にして、ＯＦＤＭシンボル数の候補を増やすことができる。
【０１２４】
このように、制御部１１が送信アンテナの数によって制御フォーマットインディケータ信号生成部３５に異なる制御をする場合、移動局装置２は、図１５のように、図１２の対応に加えて基地局装置１がユニキャストサブフレームの信号を４本の送信アンテナを使って送信している場合のマルチキャストサブフレーム配置パターンによりマルチキャストサブフレームを配置可能と指定されたサブフレームにおける制御フォーマットインディケータ信号の示すビット列と、サブフレームの種別および下りリンク制御チャネルのＯＦＤＭシンボル数との対応付けを、あらかじめ記憶しておく。
【０１２５】
そして、移動局装置２は、制御フォーマットインディケータ信号に加えて、基地局装置１が使用している送信アンテナの数（システム情報に含まれる）を参照し、マルチキャストサブフレーム配置パターンで示されたサブフレームがマルチキャストサブフレームで送信されたのかユニキャストサブフレームで送信されたのかを判断することができ、ユニキャストサブフレームの信号の送信アンテナ数が４本で制御フォーマットインディケータ信号が<0,1,…>を示している場合も、ユニキャストサブフレームとして信号を送信することができるようになる。
なお、基地局装置１がユニキャストサブフレームの信号を４本の送信アンテナを使って送信している場合でも、図１２の表の対応付けに従って基地局装置１が制御部１１を制御し、移動局装置２も図１２の表の対応付けに従って受信したサブフレームの種類を判断するようにしてもよい。
【０１２６】
マルチキャストサブフレーム配置パターンによりマルチキャストサブフレームを配置可能と指定されたサブフレームにおいてユニキャストサブフレームを送信する際に、マルチキャストサブフレームを配置可能でないサブフレームに対して制御フォーマットインディケータ信号の示す下りリンク制御チャネルの配置されるＯＦＤＭシンボル数と、実際に下りリンク制御チャネルの配置されるＯＦＭＤシンボル数を異なるように制御してもよい。
例えばマルチキャストサブフレーム配置パターンによりマルチキャストサブフレームを配置可能と指定されたサブフレームにおいて、基地局装置１が制御フォーマットインディケータ信号生成部３５に制御フォーマットインディケータ信号として<1,1,…>を生成するように制御し、下りリンク制御チャネル処理部３３と多重部３６に、下りリンク制御チャネルを１ＯＦＤＭシンボル、または２ＯＦＤＭシンボルに多重するように制御をする。
【０１２７】
基地局装置１がこのような制御をした場合、移動局装置２は、図１２の変形例である図１６に示すように、制御フォーマットインディケータ信号が<1,1,…>を示している場合に、マルチキャストサブフレーム配置パターンで示されたサブフレームでは下りリンク制御制御チャネルのＯＦＤＭシンボル数は１、または２であるという対応付けを、予め記憶しておき、参照することでサブフレームの種類と下りリンク制御チャネルのＯＦＤＭシンボル数を判断する。
【０１２８】
図１７は、ユニキャストサブフレームの信号を４本の送信アンテナを使って送信している場合に、マルチキャストサブフレーム配置パターンによりマルチキャストサブフレームを配置可能と指定されたサブフレームの制御フォーマットインディケータ信号のビット列と下りリンク制御チャネルのＯＦＤＭシンボル数との対応付けを、マルチキャストサブフレーム配置パターンによりマルチキャストサブフレームを配置可能と指定されていないサブフレームと異なる対応付けとした場合の図１４の変形例の対応付けを示す表である。
【０１２９】
マルチキャストサブフレーム配置パターンによりマルチキャストサブフレームを配置可能と指定されたサブフレームにおいて、ユニキャストサブフレームを送信する場合、制御フォーマットインディケータ信号が示すビット列と下りリンク制御チャネルのＯＦＤＭシンボル数の対応付けを変更する。対応付けを変更する下りリンク制御チャネルのＯＦＤＭシンボル数は、制御フォーマットインディケータ信号が示すビット列各々に対して、１、２、または３から１つ予め選択して決定しておく。そして、移動局装置２が予め該対応付けを記憶しておくことで、受信したサブフレームの種類と下りリンク制御チャネルのＯＦＤＭシンボル数を判断する。例えば、マルチキャストサブフレームを配置不可と指定されたサブフレームにおいて下りリンク制御チャネルのＯＦＤＭシンボル数「１」と対応付けられた制御フォーマットインディケータ信号に、マルチキャストサブフレームを配置可能と指定されたサブフレームでユニキャストサブフレームを送信する場合はＯＦＤＭシンボル数「２」を対応付ける。さらに、マルチキャストサブフレームを配置不可と指定されたサブフレームにおいて、下りリンク制御チャネルのＯＦＤＭシンボル数「３」と対応付けられた制御フォーマットインディケータ信号に、マルチキャストサブフレームを配置可能と指定されたサブフレームでユニキャストサブフレームを送信する場合はＯＦＤＭシンボル数「１」を対応付ける。
【０１３０】
図１８は、予約（Reserved）されており、未使用の制御フォーマットインディケータ信号を用いたときの制御フォーマットインディケータ信号の示すビット列とサブフレームの種別と下りリンク制御チャネルのＯＦＤＭシンボル数の関係を示す表である。図１８に示すように、マルチキャストサブフレーム配置パターンによりマルチキャストサブフレームを配置可能と指定されていないサブフレームにおいては、リザーブであり、未使用の制御フォーマットインディケータ信号のビット列＜0,0,0,0,0,0,0,0,0,0,0,0,0,0,0,0,0,0,0,0,0,0,0,0,0,0,0,0,0,0,0,0＞にも、マルチキャストサブフレーム配置パターンによりマルチキャストサブフレームを配置可能と指定されたサブフレームにおいては、下りリンク制御チャネルのＯＦＤＭシンボル数（ここでは、「２」）を対応付けるようにしてもよい。
このようにリザーブの制御フォーマットインディケータ信号を用いることで、図１８に示すように、マルチキャストサブフレーム配置パターンによりマルチキャストサブフレームを配置可能と指定されたサブフレームをユニキャストフレームとして用いる場合においても、ユニキャストサブフレームの信号の送信アンテナ数が１本または２本であれば、ＯＦＤＭシンボル数を２種類（ここでは、「２」と「３」）、制御フォーマットインディケータ信号に対応付けることができ、送信アンテナ数が４本であれば、ＯＦＤＭシンボル数を３種類（ここでは、「１」、「２」、「３」）、制御フォーマットインディケータ信号に対応付けることができる。
【０１３１】
図１６、図１７および図１８のように、制御フォーマットインディケータ信号は、予め決められたその他の条件に応じて、同じ値の信号であっても、該信号が表す下りリンク制御チャネルが配置される領域（ＯＦＤＭシンボル）が異なる。ここで、その他の条件には、マルチキャストサブフレーム配置パターンでマルチキャストサブフレームを配置可能なサブフレームとして指定されたか否か、下りリンク制御チャネルの送信に用いる送信アンテナの本数、サブフレームの種別がある。
【０１３２】
また、基地局装置１および移動局装置２は制御フォーマットインディケータ信号が示すビット列と下りリンク制御チャネルの対応付けを複数持ち、基地局装置１が、使用する対応付けを表す情報を報知チャネルのシステム情報や、下りリンク共有データチャネルのシステム情報などに含めて送信し、移動局装置２に知らせるようにしてもよい。
【０１３３】
<移動局装置２>
本実施形態の移動局装置２は、下りリンク共有データチャネルのシステム情報で送信されるマルチキャストサブフレーム配置パターンによりマルチキャストサブフレームを配置可能と指定されたサブフレームの制御フォーマットインディケータ信号が示すビット列がマルチキャストサブフレームで使用するビット列とは異なるビット列であった場合、該サブフレームはユニキャストサブフレームとして情報データが送信されていることを認識し、制御フォーマットインディケータ信号の値がマルチキャストサブフレームで使用する値であった場合、該サブフレームはマルチキャストサブフレームであることを認識する。また、予め記憶しておいた制御フォーマットインディケータ信号が示すビット列と下りリンク制御チャネルのＯＦＤＭシンボル数の対応付けから下りリンク制御チャネルのＯＦＤＭシンボル数を認識する。
【０１３４】
このように、本実施形態における移動局装置２は、マルチキャストサブフレーム配置パターンによりマルチキャストサブフレームを配置可能と指定されたサブフレームを制御フォーマットインディケータ信号に基づき、ユニキャストサブフレームかマルチキャストサブフレームかを判定し、ユニキャストサブフレームだと判定した場合と、マルチキャストサブフレームだと判定した場合で下りリンク制御チャネルの検出処理の対象とする制御データの項目を切り替える。
【０１３５】
図１９は、本実施形態における移動局装置２の構成を示す概略ブロック図である。図１９に示すように、移動局装置２は、制御部２１、受信処理部２２、送信処理部２３を有する。受信処理部２２は、受信アンテナを介して基地局装置１から受信した下りリンク制御チャネル、下りリンク共有データチャネル、マルチキャストチャネル、下りリンクパイロットチャネル、制御フォーマットインディケータチャネルに対し受信処理を行い、この受信処理により検出した情報データとマルチキャストデータとを外部に出力する。また、受信処理部２２は、下りリンク制御チャネルを用いて通知された制御データと、下りリンク共有データチャネルと報知チャネルを用いて通知されたシステム情報と制御フォーマットインディケータチャネルを用いて通知された制御フォーマットインディケータ信号を制御部２１に出力する。
【０１３６】
制御部２１は、基地局装置１より下りリンク制御チャネルを用いて通知された制御データと、下りリンク共有データチャネルと報知チャネルを用いて通知されたシステム情報と制御フォーマットインディケータチャネルを用いて通知された制御フォーマットインディケータ信号に基づいて、送信処理部２３、受信処理部２２を制御する。
また、制御部２１は信号判断部２１１を具備する。信号判断部（フレーム種別判断部）２１１は、受信処理部２２が受信したサブフレームの種別を、予め保持しているマルチキャスト配置パターンと、制御フォーマットインディケータ信号とに基づき判定する。すなわち、信号判断部２１１は、受信処理部２２から入力された制御フォーマットインディケータ信号に基づいてマルチキャストサブフレーム配置パターンによりマルチキャストサブフレームを配置可能と指定されたサブフレームがマルチキャストサブフレームかユニキャストサブフレームかと、下りリンク制御チャネルの配置されるＯＦＤＭシンボル数を判断し、後述するＧＩ除去部２２３にガードインターバルを除去する方法と、受信処理部２２に下りリンク制御チャネルの復号処理の方法と、後述する多重分離部２２５に多重分離の方法を指示する。
なお、制御フォーマットインディケータ信号とシステム情報に含まれる信号の送信に使用している送信アンテナ数の両方に基づいてマルチキャストサブフレーム配置パターンによりマルチキャストサブフレームを配置可能と指定されたサブフレームがマルチキャストサブフレームかユニキャストサブフレームかを判断してもよい。
【０１３７】
送信処理部２３は、外部から入力された情報データと制御部２１から入力された制御データの送信を、制御部２１からの入力に基づき上りリンク制御チャネル、上りリンク共有データチャネル、上りリンクパイロットチャネル、ランダムアクセスチャネルを用いて、送信アンテナを介して行う。なお、本発明とは直接の関連がないため、送信処理部２３による上りリンクに関する処理の詳細については省略する。
【０１３８】
図２０は、本実施形態における移動局装置２の受信処理部２２の内部構成を示す概略ブロック図である。移動局装置２の受信処理部２２は、受信ＲＦ部２２１と、Ａ／Ｄ（Ａｎａｌｏｇｕｅ  ｔｏ  Ｄｉｇｉｔａｌ；アナログ／デジタル変換）部２２２と、ＧＩ除去部２２３と、ＦＦＴ部２２４と、多重分離部２２５と、伝播路推定部２２８と、伝播路補償部２２６、２２９、２３２と、制御フォーマットインディケータ検出部２２７と、データ復調部２３３と、ターボ復号部２３４と、ＱＰＳＫ復調部２３０と、復号部２３１とを具備する。本実施形態では、受信ＲＦ部２２１とＡ／Ｄ部２２２とＧＩ除去部２２３とＦＦＴ部２２４とで、受信部として機能する。
【０１３９】
受信ＲＦ部２２１は、受信アンテナを介して受信した信号を増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。Ａ／Ｄ部２２２は、受信ＲＦ部２２１により直交復調されたアナログ信号をディジタル信号に変換する。ＧＩ除去部２２３は、制御部２１からの指示に基づき、Ａ／Ｄ部２２２の出力したディジタル信号からガードインターバルに相当する部分を除去する。ＦＦＴ部２２４は、ＧＩ除去部２２３から入力された信号を高速フーリエ変換し、ＯＦＤＭ方式の復調を行う。
【０１４０】
多重分離部２２５は、制御部２１からの指示に基づき、ＦＦＴ部２２４がフーリエ変換した信号、すなわちＯＦＤＭ方式により復調された受信信号から下りリンクパイロットチャネル、制御フォーマットインディケータチャネル、下りリンク共有データチャネル、マルチキャストチャネル、下りリンク制御チャネルを、配置されたリソースエレメントから抽出して、出力する。
具体的には、多重分離部２２５は、固定の配置である下りリンクパイロットチャネルと制御フォーマットインディケータチャネルを抽出して、下りリンクパイロットチャネルは伝播路推定部２２８に出力し、制御フォーマットインディケータチャネルは伝播路補償部２２６に出力する。
【０１４１】
さらに、多重分離部２２５は、制御部２１を介して入力される、先に伝播路補償部２２６に出力した制御フォーマットインディケータチャネルに含まれる制御フォーマットインディケータ信号に基づいて制御部２１の信号判断部２１１が判断した無線リソース割当て情報を含む下りリンク制御チャネルを抽出して、伝播路補償部２２９に出力する。
さらに、多重分離部２２５は、制御部２１を介して入力される、先に伝播路補償部２２９に出力した下りリンク制御チャネルに含まれる無線リソース割当情報に基づいて下りリンク共有データチャネルを抽出して、伝播路補償部２３２に出力する。
または、先に伝播路補償部２２６に出力した制御フォーマットインディケータチャネルに含まれる制御フォーマットインディケータ信号が入力された制御部２１の信号判断部２１１から入力される制御信号に基づいてマルチキャストチャネルを抽出して、伝播路補償部２３２に出力する。
【０１４２】
伝播路推定部２２８は、多重分離部２２５が分離した下りリンクパイロットチャネルに配置された既知の参照信号の受信結果に基づいて基地局装置１の送信アンテナ各々に対する伝播路変動を推定し、伝播路変動補償値を出力する。伝播路補償部２２６は、伝播路推定部２２８からの伝播路変動補償値に基づいて、多重分離部２２５から入力された制御フォーマットインディケータチャネルの信号の伝播路変動の補償を行う。
制御フォーマットインディケータ検出部２２７は、伝播路変動の補償が行われた制御フォーマットインディケータチャネルに配置された信号から下りリンク制御チャネルが構成されるＯＦＤＭシンボル数を示す制御フォーマットインディケータ信号を検出し、制御部２１に出力する。
【０１４３】
伝播路補償部２３２は、伝播路推定部２２８からの伝播路変動補償値に基づいて、多重分離部２２５から入力された下りリンク共有データチャネルとマルチキャストチャネルの信号の伝播路変動の補償を行う。
データ復調部２３３は、伝播路補償部２３２により伝播路変動の補償された下りリンク共有データチャネルとマルチキャストチャネルの復調を行う。この復調は、基地局装置１のデータ変調部３１２で用いた変調方式に対応したものが行われ、下りリンク共有データチャネルの変調方式は、下りリンク制御チャネルに含まれる情報に基づき制御部２１から指示され、マルチキャストチャネルの変調方式は、下りリンク共有データチャネルのシステム情報とマルチキャストチャネルに含まれる情報に基づき制御部２１から指示される。
【０１４４】
ターボ復号部２３４は、データ復調部２３３が復調した下りリンク共有データチャネルとマルチキャストチャネルを復号する。ターボ復号部２３４で復号された下りリンク共有データチャネルに含まれていたシステム情報は制御部２１に入力される。この復号は、基地局装置１のターボ符号部３１１で用いた符号化率に対応したものが行われ、下りリンク共有データチャネルの符号化率は、下りリンク制御チャネルに含まれる情報に基づき制御部から指示され、マルチキャストチャネルの符号化率は、下りリンク共有データチャネルのシステム情報とマルチキャストチャネルに含まれる情報に基づき制御部２１から指示される。
【０１４５】
伝播路補償部２２９は、伝播路推定部２２８からの伝播路変動補償値に基づいて、多重分離部２２５から入力された下りリンク制御チャネルの信号の伝播路変動の補償を行う。
ＱＰＳＫ復調部２３０は、伝播路補償部２２９により伝播路変動の補償された下りリンク制御チャネルのＱＰＳＫ復調を行う。
復号部（第一種制御信号検出部）２３１は、ＱＰＳＫ復調部２３０が復調した下りリンク制御チャネルを復号して、制御データの各項目を検出する。すなわち、復号部２３１は、受信した信号のサブフレームに対して、信号判断部２１１の判定結果が示す種別に対応する項目の制御データの検出処理を行なう。この検出処理を行う際に、判定結果が示す種別に対応する項目に応じたデータサイズを用いる。具体的には、検出処理を行う際のレートデマッチングにおいて、レートデマッチング結果がこのデータサイズとなるようにレートデマッチングを行う。復号部２３１で復号された下りリンク制御チャネルに構成される制御データは制御部２１に入力される。復号部２３１の詳細は後述する。
【０１４６】
制御部２１は、制御データに含まれる変調方式に関する情報に基づいてデータ復調部２３３に制御信号を出力し、符号化率に関する情報に基づいてターボ復号部２３４に制御信号を出力する。また、制御部２１は、復号部２３１より入力される制御データが下りリンク無線リソース割当情報の場合、下りリンク無線リソース割当情報に基づいて自移動局装置２の下りリンク共有データチャネルを、配置されたリソースエレメントから抽出して、伝播路補償部２３２へ出力するように多重分離部２２５に制御信号を出力する。
【０１４７】
また、制御部２１は、復号部２３１より入力される制御データが上りリンク無線リソース割当情報の場合、上りリンク無線リソース割当情報に基づいて上りリンク共有データチャネルを送信するように送信処理部２３に制御信号を出力する。
また、制御部２１は、復号部２３１より入力される制御データが送信電力コマンド情報の場合、送信電力コマンド情報に基づいて上りリンク共有データチャネル、または上りリンク制御チャネルの送信電力を設定するように送信処理部２３に制御信号を出力する。
【０１４８】
信号判断部２１１は、制御フォーマットインディケータ信号と基地局装置１の送信アンテナ数とマルチキャストサブフレーム配置パターンとに基づいて、上述の図１５に例示した対応付けを参照して各サブフレームの種別と下りリンク制御チャネルのＯＦＤＭシンボル数とを判定し、該判定結果に基づく制御信号を、多重分離部２２５と後述するレートデマッチング部２３６とに出力する。
【０１４９】
図２１は、移動局装置２の復号部２３１の内部構成を示す概略ブロック図である。復号部２３１は制御データ多重分離部２３５と、レートデマッチング部２３６と、ビタビデコーダ部２３７と、誤り検出部２３８を具備する。
制御データ多重分離部２３５は、当該移動局装置２宛の制御データが配置されている可能性のあるリソースエレメントのＱＰＳＫ復調結果（ビット列）を３６リソースエレメント毎のビット列、７２リソースエレメント毎のビット列、１４４リソースエレメント毎のビット列、および２８８リソースエレメント毎のビット列の４種類のパターンで、制御データのビット列に分離してレートデマッチング部２３６に出力する。
【０１５０】
レートデマッチング部２３６は、信号判断部２１１からのサブフレームの種別を指示する制御信号に基づいて、可能性のある制御データの項目各々のデータ長と一致するように、制御データ多重分離部２３５から入力された制御データのビット列をレートデマッチングし、ビタビデコーダ部２３７に出力する。
【０１５１】
つまり、信号判断部２１１が、種別はマルチキャストサブフレームであると判定した場合、この判定結果を指示する制御信号を受けたレートデマッチング部２３６は、制御データには下りリンク無線リソース割当情報は含まれていないので、制御データ多重分離部２３５から入力された制御データのビット列を下りリンク無線リソース割当情報以外の項目の制御データ、すなわち上りリンク無線リソース割当情報または送信電力コマンド情報であると判定して、上りリンク無線リソース割当情報のデータ長と一致するレートデマッチングおよび送信電力コマンド情報のデータ長と一致するレートマッチングを行う。
【０１５２】
また、信号判断部２１１が、種別はユニキャストサブフレームであると判定した場合、この判定結果を指示する制御信号を受けたレートデマッチング部２３６は、制御データ多重分離部２３５から入力された制御データのビット列を下りリンク無線リソース割当情報、上りリンク無線リソース割当情報または送信電力コマンド情報であると判定して、下りリンク無線リソース割当情報のデータ長と一致するレートデマッチング、上りリンク無線リソース割当情報のデータ長と一致するレートデマッチングおよび送信電力コマンド情報のデータ長と一致するレートマッチングを行う。
【０１５３】
ビタビデコーダ部２３７は、レートデマッチング部２３６から入力された制御データのビット列を畳み込み復号し誤り検出部２３８に出力する。
誤り検出部２３８は、ビタビデコーダ部２３７から入力された制御データに多重されている誤り検出符号を抽出し誤り検出をし、誤りを検出した場合は、まだ試していないビット列とリソースエレメント数とレートデマッチング（データ長）との組合せの復号処理をするように制御データ多重分離部２３５に制御信号で指示をし、誤りを検出しなかった場合は制御データを制御部２１に出力してから、まだ試していない復号処理をするように制御データ多重分離部２３５に制御信号で指示をする。
【０１５４】
図２２は、移動局装置２の信号判断部２１１の動作を説明するフローチャートの例である。信号判断部２１１は、ターボ復号部２３４から入力される報知チャネルのシステム情報から基地局装置１の送信アンテナの数を取得する（Ｓｃ１）。次に信号判断部２１１は、制御フォーマットインディケータ検出部２２７から制御フォーマットインディケータ信号の値を入力される（Ｓｃ２）。次に信号判断部２１１は、ターボ復号部２３４から下りリンク共有データチャネルのシステム情報が入力され、システム情報に含まれているマルチキャストサブフレーム配置パターンを取得する（Ｓｃ３）。
【０１５５】
次に信号判断部２１１は、制御フォーマットインディケータ信号とマルチキャストサブフレーム配置パターンと基地局装置１の送信アンテナ数とから、受信したサブフレームがマルチキャストサブフレームかユニキャストサブフレームかを判定し、更に下りリンク制御チャネルが配置されているＯＦＤＭシンボル数を判定する（Ｓｃ４）。次に信号判断部２１１は、多重分離部２２５に下りリンク制御チャネルが配置されているＯＦＤＭシンボル数を制御信号で知らせる（Ｓｃ５）。次に信号判断部２１１は、レートデマッチング部２３６、伝播路推定部２２８、伝播路補償部２３２、データ復調部２３３、ターボ復号部２３４に、受信したサブフレームの種別がマルチキャストサブフレームかユニキャストサブフレームかに応じた処理を行うように制御信号で指示する（Ｓｃ６）。
【０１５６】
図２３は、移動局装置２のレートデマッチング部の動作の例を説明するフローチャートである。レートデマッチング部２３６に、制御データ多重分離部２３５から制御データのビット列（下りリンク制御チャネルを３６リソースエレメント毎、７２リソースエレメント毎、１４４リソースエレメント毎、２８８リソースエレメント毎に区切り、各々をＱＰＳＫ復調したビット列）が入力され、レートデマッチング部２３６は、入力された制御データのビット列を取得する（Ｓｄ１）。次にレートデマッチング部２３６に、信号判断部２１１から受信したサブフレームの種別がマルチキャストサブフレームかユニキャストサブフレームかを示す制御信号が入力され、レートデマッチング部２３６は、入力された制御信号により、受信したサブフレームの種別を取得する（Ｓｄ２）。
【０１５７】
信号判断部２１１から入力された制御信号により取得した種別がマルチキャストサブフレームのときは（Ｓｄ３−マルチキャストサブフレーム）、レートデマッチング部２３６は、ステップＳｄ１にて取得した制御データのビット列の各々を、上りリンク無線リソース割当情報のデータ長にするレートデマッチングと、送信電力コマンド情報のデータ長にするレートデマッチングとを行う（Ｓｄ４）。また、信号判断部２１１から入力された制御信号により取得した種別がユニキャストサブフレームのときは（Ｓｄ３−ユニキャストサブフレーム）、レートデマッチング部２３６は、ステップＳｄ１にて取得した制御データのビット列の各々を、下りリンク無線リソース割当情報のデータ長にするレートデマッチングと、上りリンク無線リソース割当情報のデータ長にするレートデマッチングと、送信電力コマンド情報のデータ長にするレートデマッチングとを行う（Ｓｄ５）。
【０１５８】
このように、基地局装置１は、マルチキャストサブフレームを配置可能なサブフレームでは、マルチキャストサブフレームを配置してマルチキャストデータを送信するとき（Ｓｂ３−Ｙｅｓ）と、ユニキャストサブフレームを配置してマルチキャストデータを送信しないとき（Ｓｂ３−Ｎｏ）とで、異なるビット列を示す制御フォーマットインディケータ信号を送信する。このため、移動局装置２は、マルチキャストサブフレームを配置可能なサブフレームであっても、基地局装置１は送信した制御フォーマットインディケータ信号に基づき、当該サブフレームの種別を判定し、判定した種別に応じた項目の制御データを検出する復号処理を行うので、伝送効率を低下させることなく、サブフレームの種別を判定可能とし、下りリンク制御チャネルの復号処理の回数を減らすことができる。
【０１５９】
本発明に関わる移動局装置２および基地局装置１で動作するプログラムは、本発明に関わる上記実施形態の機能を実現するように、ＣＰＵ（Central Processing Unit）等を制御するプログラム（コンピュータを機能させるプログラム）である。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（HardDisk Drive）に格納され、必要に応じてＣＰＵによって読み出し、修正・書き込みが行われる。
【０１６０】
また、図８における無線リソース制御部１０、制御部１１、および、図９における下りリンク共有データチャネル処理部３１、マルチキャストチャネル処理部３２、下りリンク制御チャネル処理部３３、参照信号生成部３４、制御フォーマットインディケータ信号生成部３５、多重部３６、ＩＦＦＴ部３７１、ＧＩ挿入部３７２、Ｄ／Ａ部３７３、および図１０における誤り検出符号多重部３３３、畳み込み符号部３３４、レートマッチング部３３５、および図１９における制御部２１、信号判断部２１１、および図２０におけるＡ／Ｄ部２２２、ＧＩ除去部２２３、ＦＦＴ部２２４、多重分離部２２５、伝播路推定部２２８、伝播路補償部２２６、制御フォーマットインディケータ検出部２２７、伝播路補償部２３２、データ復調部２３３、ターボ復号部２３４、伝播路補償部２２９、ＱＰＳＫ復調部２３０、復号部２３１、および図２１の制御データ多重分離部２３５、レートデマッチング部２３６、ビタビデコーダ部２３７、誤り検出部２３８の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１６２】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１６３】
本発明は、基地局装置と移動局装置とを有する動体通信システムに用いて好適であるが、これに限定されない。
【符号の説明】
【０１６４】
１…基地局装置
２…移動局装置
１０…無線リソース制御部
１１…制御部
１２…受信処理部
１３…送信処理部
２１…制御部
２２…受信処理部
２３…送信処理部
３１…下りリンク共有データチャネル処理部
３２…マルチキャストチャネル処理部
３３…下りリンク制御チャネル処理部
３４…参照信号生成部
３５…制御フォーマットインディケータ信号生成部
３６…多重部
３７…送信アンテナ毎送信処理部
２１１…信号判断部
２２１…受信ＲＦ部
２２２…Ａ／Ｄ部
２２３…ＧＩ除去部
２２４…ＦＦＴ部
２２５…多重分離部
２２６…伝播路補償部
２２７…制御フォーマットインディケータ検出部
２２８…伝播路推定部
２２９…伝播路補償部
２３０…ＱＰＳＫ復調部
２３１…復号部
２３２…伝播路補償部
２３３…データ復調部
２３４…ターボ復号部
２３５…制御データ多重分離部
２３６…レートデマッチング部
２３７…ビタビデコーダ部
２３８…誤り検出部
３１１…ターボ符号部
３１２…データ変調部
３２１…ターボ符号部
３２２…データ変調部
３３１…符号部
３３２…ＱＰＳＫ変調部
３３３…誤り検出符号多重部
３３４…畳み込み符号部
３３５…レートマッチング部
３７１…ＩＦＦＴ部
３７２…ＧＩ挿入部
３７３…Ｄ／Ａ部
３７４…送信ＲＦ部
【図１】
2009157487.tif 000003
【図２】
2009157487.tif 000004
【図３】
2009157487.tif 000005
【図４】
2009157487.tif 000006
【図５】
2009157487.tif 000007
【図６】
2009157487.tif 000008
【図７】
2009157487.tif 000009
【図８】
2009157487.tif 000010
【図９】
2009157487.tif 000011
【図１０】
2009157487.tif 000012
【図１１】
2009157487.tif 000013
【図１２】
2009157487.tif 000014
【図１３】
2009157487.tif 000015
【図１４】
2009157487.tif 000016
【図１５】
2009157487.tif 000017
【図１６】
2009157487.tif 000018
【図１７】
2009157487.tif 000019
【図１８】
2009157487.tif 000020
【図１９】
2009157487.tif 000021
【図２０】
2009157487.tif 000022
【図２１】
2009157487.tif 000023
【図２２】
2009157487.tif 000024
【図２３】
2009157487.tif 000025
【図２４】
2009157487.tif 000026
【図２５】
2009157487.tif 000027
【図２６】
2009157487.tif 000028
【図２７】
2009157487.tif 000029
【図２８】
2009157487.tif 000030
【図２９】
2009157487.tif 000031
【図３０】
2009157487.tif 000032
【図３１】
2009157487.tif 000033
【図３２】
2009157487.tif 000034
【図３３】
2009157487.tif 000035
【図３４】
2009157487.tif 000036
【国際調査報告】
2009157487.tif 000037
2009157487.tif 000038